(57)【要約】セットトップボックスまたは双方向テレビアプリケーションを実行し得るコンピュータ等のユーザ機器に基づくシステムが提供される。ユーザのテレビ視聴活動に関する情報およびユーザの双方向テレビアプリケーションとのインタラクションに関する情報が収集され得る。双方向テレビアプリケーションは、双方向テレビ番組ガイドであり得る。収集した情報は、電子メールプロトコル、ウェブブラウザの通信機能、独立ＦＴＰアプリケーション、またはユーザ機器にインストールされたオペレーティングシステムの通信機能を用いて、データ収集設備に送信され得る。【選択図】図１
2004513533.tif 000002
【特許請求の範囲】
【請求項１】
ユーザ機器におけるユーザのテレビ視聴活動に関する情報を収集し、該情報をデータ収集設備に提供する方法であって、
該ユーザが該ユーザ機器を用いてどのテレビチャンネルにチャンネルを合わせたかをモニタリングすることによって、該ユーザの該テレビ視聴活動に関する情報を収集する工程と、
該ユーザの該テレビ視聴活動に関する該収集した情報を、電子メールプロトコルを用いて該データ収集設備に送信する工程と、
を含む方法。
【請求項２】
電子メールアプリケーションを用いて前記収集した情報を送信する工程をさらに含む、請求項１に記載の方法。
【請求項３】
郵便局プロトコルを用いて前記収集した情報を送信する工程をさらに含む、請求項１に記載の方法。
【請求項４】
簡易メール転送プロトコルを用いて前記収集した情報を送信する工程をさらに含む、請求項１に記載の方法。
【請求項５】
双方向テレビ番組ガイドを用いて、前記ユーザのテレビ視聴習慣に関する情報を収集する工程をさらに含む、請求項１に記載の方法。
【請求項６】
双方向テレビ番組ガイドを用いて、前記ユーザのテレビ視聴習慣に関する情報を収集する工程と、
該双方向テレビ番組ガイドを用いて、収集した該ユーザの該テレビ視聴習慣に関する情報を、前記データ収集設備に送信する工程と、
をさらに含む、請求項１に記載の方法。
【請求項７】
双方向テレビアプリケーションを用いて、前記ユーザのテレビ視聴習慣に関する情報を収集する工程をさらに含む、請求項１に記載の方法。
【請求項８】
双方向テレビアプリケーションを用いて、前記ユーザのテレビ視聴習慣に関する情報を収集する工程と、
該双方向テレビアプリケーションを用いて、収集した該ユーザの該テレビ視聴習慣に関する情報を、前記データ収集設備に送信する工程と、
をさらに含む、請求項１に記載の方法。
【請求項９】
前記ユーザの、双方向テレビ番組ガイドとのインタラクションに関する情報を収集する工程をさらに含む、請求項１に記載の方法。
【請求項１０】
双方向テレビ番組ガイドを用いて、前記ユーザの、該双方向テレビ番組ガイドとのインタラクションに関する情報を収集する工程をさらに含む、請求項１に記載の方法。
【請求項１１】
前記ユーザの、双方向テレビ番組ガイドとのインタラクションに関する情報を収集する工程と、
該ユーザの、該双方向テレビ番組ガイドとの該インタラクションに関して収集した情報を、前記データ収集設備に送信する工程と、
をさらに含む、請求項１に記載の方法。
【請求項１２】
前記ユーザの、双方向テレビアプリケーションとのインタラクションに関する情報を収集する工程をさらに含む、請求項１に記載の方法。
【請求項１３】
双方向テレビアプリケーションを用いて、前記ユーザの、該双方向テレビアプリケーションとのインタラクションに関する情報を収集する工程をさらに含む、請求項１に記載の方法。
【請求項１４】
前記ユーザの、双方向テレビアプリケーションとのインタラクションに関する情報を収集する工程と、
該ユーザの、該双方向テレビアプリケーションとの該インタラクションに関する情報を、前記データ収集設備に送信する工程と、
をさらに含む、請求項１に記載の方法。
【請求項１５】
前記ユーザが何時に前記テレビチャンネルにチャンネルを合わせたかに関する情報を収集する工程をさらに含む、請求項１に記載の方法。
【請求項１６】
前記ユーザ機器が、セットトップボックスを含み、前記方法は、前記ユーザが、双方向テレビ番組ガイドを用いて該セットトップボックスを所与のテレビチャンネルに合わせることができるようにする工程をさらに含む、請求項１に記載の方法。
【請求項１７】
前記ユーザ機器が、デジタルビデオレコーダを含み、前記方法は、前記ユーザが、双方向テレビ番組ガイドを用いて該デジタルビデオレコーダを所与のテレビチャンネルに合わせることができるようにする工程をさらに含む、請求項１に記載の方法。
【請求項１８】
前記ユーザ機器が、パーソナルコンピュータを含み、前記方法は、前記ユーザが、双方向テレビ番組ガイドを用いて該パーソナルコンピュータを所与のテレビチャンネルに合わせることができるようにする工程をさらに含む、請求項１に記載の方法。
【請求項１９】
双方向テレビ番組ガイドを用いて、前記ユーザのために、前記ユーザ機器上に番組リスト項目を表示する工程をさらに含む、請求項１に記載の方法。
【請求項２０】
前記ユーザが、少なくとも双方向テレビ番組ガイドおよびビデオオンデマンドアプリケーションを呼び出すことができるようにするオプションを含む双方向メニューを前記ユーザ機器上に表示する工程をさらに含む請求項１に記載の方法。
【請求項２１】
前記ユーザのテレビ視聴習慣に関する情報を収集する工程が、時間をモニタリングすること、および、双方向テレビ番組ガイドを用いて該ユーザによって合わせられた前記チャンネルをモニタリングすることにより、該ユーザの該テレビ視聴習慣に関する情報を収集する工程を含む、請求項１に記載の方法。
【請求項２２】
前記ユーザのテレビ視聴習慣に関する情報を収集する工程が、該ユーザの該テレビ視聴習慣に関する情報を、前記ユーザ機器上の記憶装置に格納する工程を含む、請求項１に記載の方法。
【請求項２３】
双方向テレビ番組ガイドが前記ユーザ機器上に設けられ、該ユーザ機器が、通信パスによってテレビ配信設備に接続され、番組リスト項目データが番組リスト項目ソースから提供され、該方法は、
該テレビ配信設備において、該番組リスト項目ソースから該番組リスト項目データを受け取る工程と、
該通信パスを介して、該テレビ配信設備から該ユーザ設備上の該双方向テレビ番組ガイドに、該番組リスト項目データを提供する工程と、
をさらに含む、請求項１に記載の方法。
【請求項２４】
前記収集した情報を送信する工程が、ページング周波数を用いて該収集した情報を送信する工程を含む、請求項１に記載の方法。
【請求項２５】
前記収集した情報を送信する工程が、デジタル加入者回線通信を用いて該収集した情報を送信する工程を含む、請求項１に記載の方法。
【請求項２６】
前記収集した情報を送信する工程が、ケーブル通信を用いて該収集した情報を送信する工程を含む、請求項１に記載の方法。
【請求項２７】
前記収集した情報を送信する工程が、電話線を介した通信を用いて該収集した情報を送信する工程を含む、請求項１に記載の方法。
【請求項２８】
前記収集した情報を送信する工程が、該収集した情報をサーバに送信する工程を含む、請求項１に記載の方法。
【請求項２９】
前記収集した情報を、無線パスを介して、前記データ収集設備に送信する工程をさらに含む、請求項１に記載の方法。
【請求項３０】
前記収集した情報をデータ収集設備に送信する工程の前に、前記ユーザに通知する工程をさらに含む、請求項１に記載の方法。
【請求項３１】
前記収集した情報をデータ収集設備に送信する工程の前に、前記ユーザに通知する工程と、
該収集した情報を該データ収集設備に送信するかどうかを選択する機会を該ユーザに提供する工程と、
をさらに含む、請求項１に記載の方法。
【請求項３２】
電子メール添付物内の前記収集した情報を送信する工程をさらに含む、請求項１に記載の方法。
【請求項３３】
電子メールメッセージの本体内の前記収集した情報を送信する工程をさらに含む、請求項１に記載の方法。
【請求項３４】
番組ガイドを用いて、前記収集した情報と共に前記データ収集設備にレポートとして送信される電子メールメッセージを生成する工程と、
該電子メールメッセージ内の返信アドレスを、該データ収集設備の電子メールアドレスに自動的に設定する工程と、
をさらに含む、請求項１に記載の方法。
【請求項３５】
前記収集した情報をデータ収集設備に送信する工程の前に、前記ユーザ機器に関連するインボックスに電子メールメッセージを送信する工程をさらに含む、請求項１に記載の方法。
【請求項３６】
前記収集した情報をデータ収集設備に送信する工程の前に、該収集した情報の発信を認証する機会を前記ユーザに提供する工程をさらに含む、請求項１に記載の方法。
【請求項３７】
前記データ収集設備において、前記収集した情報を分析する工程をさらに含む、請求項１に記載の方法。
【請求項３８】
前記データ収集設備がテレビ配信設備と通信している、請求項１に記載の方法。
【請求項３９】
前記データ収集設備がケーブルシステムヘッドエンドと通信している、請求項１に記載の方法。
【請求項４０】
前記データ収集設備がテレビ配信設備と連絡しており、前記ユーザ機器が該テレビ配信設備と連絡しており、前記方法が、該テレビ配信設備を介して前記収集した情報を該データ収集設備に送信する工程をさらに含む、請求項１に記載の方法。
【請求項４１】
前記収集した情報を、インターネットを介して前記データ収集設備に送信する工程をさらに含む、請求項１に記載の方法。
【請求項４２】
前記ユーザに、セットアップオプションを用いて、前記収集した情報の送信を認証させる工程をさらに含む、請求項１に記載の方法。
【請求項４３】
前記ユーザに、前記収集した情報を送信するための所望の周波数を選択させる工程をさらに含む、請求項１に記載の方法。
【請求項４４】
前記収集した情報をデータ収集設備に送信する工程の前に、該ユーザに通知するかどうかを該ユーザに選択させるセットアップオプションを該ユーザに提供する工程をさらに含む、請求項１に記載の方法。
【請求項４５】
ユーザ機器を含むシステムであって、該ユーザ機器におけるユーザのテレビ視聴活動に関する情報がデータ収集設備に提供される、ユーザ機器を含むシステムであって、
制御回路と、
ディスプレイと、
ユーザ入力インターフェースとを含み、
該制御回路、該ディスプレイ、および該ユーザインターフェースは、
該ユーザが該制御回路を用いてどのテレビチャンネルにチャンネルを合わせたかをモニタリングすることによって、該ユーザの該テレビ視聴活動に関する情報を収集し、
該ユーザの該テレビ視聴活動に関する該収集した情報を、電子メールプロトコルを用いて該データ収集設備に送信する、
ように構成されている、システム。
【請求項４６】
前記制御回路、前記ディスプレイ、および前記ユーザインターフェースは、電子メールアプリケーションを用いて、前記収集した情報を送信するようにさらに構成されている、請求項４５に記載のシステム。
【請求項４７】
前記制御回路、前記ディスプレイ、および前記ユーザインターフェースは、郵便局プロトコルを用いて、前記収集した情報を送信するようにさらに構成されている、請求項４５に記載のシステム。
【請求項４８】
前記制御回路、前記ディスプレイ、および前記ユーザインターフェースは、簡易メール転送プロトコルを用いて、前記情報を送信するようにさらに構成されている、請求項４５に記載のシステム。
【請求項４９】
前記制御回路、前記ディスプレイ、および前記ユーザインターフェースは、双方向テレビ番組ガイドを用いて、前記ユーザのテレビ視聴習慣に関する情報を収集するようにさらに構成されている、請求項４５に記載のシステム。
【請求項５０】
前記制御回路、前記ディスプレイ、および前記ユーザインターフェースは、
双方向テレビ番組ガイドを用いて、前記ユーザのテレビ視聴習慣に関する情報を収集し、
該双方向テレビ番組ガイドを用いて、収集した該ユーザの該テレビ視聴習慣に関する情報を、前記データ収集設備に送信する、
ようにさらに構成されている、請求項４５に記載のシステム。
【請求項５１】
前記制御回路、前記ディスプレイ、および前記ユーザインターフェースは、双方向テレビアプリケーションを用いて、前記ユーザのテレビ視聴習慣に関する情報を収集するようにさらに構成されている、請求項４５に記載のシステム。
【請求項５２】
前記制御回路、前記ディスプレイ、および前記ユーザインターフェースは、
双方向テレビアプリケーションを用いて、前記ユーザのテレビ視聴習慣に関する情報を収集し、
該双方向テレビアプリケーションを用いて、収集した該ユーザの該テレビ視聴習慣に関する情報を、前記データ収集設備に送信する、
ようにさらに構成されている、請求項４５に記載のシステム。
【請求項５３】
前記制御回路、前記ディスプレイ、および前記ユーザインターフェースは、前記ユーザの、双方向テレビ番組ガイドとのインタラクションに関する情報を収集するようにさらに構成されている、請求項４５に記載のシステム。
【請求項５４】
前記制御回路、前記ディスプレイ、および前記ユーザインターフェースは、双方向テレビ番組ガイドを用いて、前記ユーザの、該双方向テレビ番組ガイドとのインタラクションに関する情報を収集するようにさらに構成されている、請求項４５に記載のシステム。
【請求項５５】
前記制御回路、前記ディスプレイ、および前記ユーザインターフェースは、
前記ユーザの、双方向テレビ番組ガイドとのインタラクションに関する情報を収集し、
該ユーザの、該双方向テレビ番組ガイドとの該インタラクションに関して収集した情報を、前記データ収集設備に送信する、
ようにさらに構成されている、請求項４５に記載のシステム。
【請求項５６】
前記制御回路、前記ディスプレイ、および前記ユーザインターフェースは、前記ユーザの、双方向テレビアプリケーションとのインタラクションに関する情報を収集するようにさらに構成されている、請求項４５に記載のシステム。
【請求項５７】
前記制御回路、前記ディスプレイ、および前記ユーザインターフェースは、双方向テレビアプリケーションを用いて、前記ユーザの、該双方向テレビアプリケーションとのインタラクションに関する情報を収集するようにさらに構成されている、請求項４５に記載のシステム。
【請求項５８】
前記制御回路、前記ディスプレイ、および前記ユーザインターフェースは、
前記ユーザの、双方向テレビアプリケーションとのインタラクションに関する情報を収集し、
該ユーザの、該双方向テレビアプリケーションとの該インタラクションに関する情報を、前記データ収集設備に送信する、
ようにさらに構成されている、請求項４５に記載のシステム。
【請求項５９】
前記制御回路、前記ディスプレイ、および前記ユーザインターフェースは、前記ユーザが何時に前記テレビチャンネルにチャンネルを合わせたかに関する情報を収集するようにさらに構成されている、請求項４５に記載のシステム。
【請求項６０】
前記ユーザ機器が、セットトップボックスを含み、前記制御回路、前記ディスプレイ、および前記ユーザインターフェースは、前記ユーザが、双方向テレビ番組ガイドを用いて該セットトップボックスを所与のテレビチャンネルに合わせることができるようにさらに構成されている、請求項４５に記載のシステム。
【請求項６１】
前記ユーザ機器が、デジタルビデオレコーダを含み、前記制御回路、前記ディスプレイ、および前記ユーザインターフェースは、前記ユーザが、双方向テレビ番組ガイドを用いて該デジタルビデオレコーダを所与のテレビチャンネルに合わせることができるようにさらに構成されている、請求項４５に記載のシステム。
【請求項６２】
前記ユーザ機器が、パーソナルコンピュータを含み、前記制御回路、前記ディスプレイ、および前記ユーザインターフェースは、前記ユーザが、双方向テレビ番組ガイドを用いて該パーソナルコンピュータを所与のテレビチャンネルに合わせることができるようにさらに構成されている、請求項４５に記載のシステム。
【請求項６３】
前記制御回路、前記ディスプレイ、および前記ユーザインターフェースは、双方向テレビ番組ガイドを用いて、前記ユーザのために、前記ユーザ機器上に番組リスト項目を表示するようにさらに構成されている、請求項４５に記載のシステム。
【請求項６４】
前記制御回路、前記ディスプレイ、および前記ユーザインターフェースは、前記ユーザが、少なくとも双方向テレビ番組ガイドおよびビデオオンデマンドアプリケーションを呼び出すことができるようにするオプションを含む双方向メニューを前記ユーザ機器上に表示するようにさらに構成されている、請求項４５に記載のシステム。
【請求項６５】
前記制御回路、前記ディスプレイ、および前記ユーザインターフェースは、時間をモニタリングすること、および、双方向テレビ番組ガイドを用いて前記ユーザによって合わせられた前記チャンネルをモニタリングすることにより、該ユーザのテレビ視聴習慣に関する情報を収集するようにさらに構成されている、請求項４５に記載のシステム。
【請求項６６】
前記制御回路、前記ディスプレイ、および前記ユーザインターフェースは、前記ユーザの前記収集されたテレビ視聴習慣に関する情報を、前記ユーザ機器上の記憶装置に格納するようにさらに構成されている、請求項４５に記載のシステム。
【請求項６７】
双方向テレビ番組ガイドが前記ユーザ機器上に設けられ、該ユーザ機器が通信パスによってテレビ配信設備に接続され、番組リスト項目データが番組リスト項目ソースから提供され、該テレビ配信設備は、該テレビ配信設備において該番組リスト項目ソースから該番組リスト項目データを受け取り、該通信パスを介して、該テレビ配信設備から該ユーザ設備上の該双方向テレビ番組ガイドに、該番組リスト項目データを提供するようにさらに構成されている、請求項４５に記載のシステム。
【請求項６８】
前記制御回路、前記ディスプレイ、および前記ユーザインターフェースは、ページング周波数を用いて前記収集した情報を送信するようにさらに構成されている、請求項４５に記載のシステム。
【請求項６９】
前記制御回路、前記ディスプレイ、および前記ユーザインターフェースは、デジタル加入者回線通信を用いて前記収集した情報を送信するようにさらに構成されている、請求項４５に記載のシステム。
【請求項７０】
前記制御回路、前記ディスプレイ、および前記ユーザインターフェースは、ケーブル通信を用いて前記収集した情報を送信するようにさらに構成されている、請求項４５に記載のシステム。
【請求項７１】
前記制御回路、前記ディスプレイ、および前記ユーザインターフェースは、電話線を介した通信を用いて前記収集した情報を送信するようにさらに構成されている、請求項４５に記載のシステム。
【請求項７２】
前記制御回路、前記ディスプレイ、および前記ユーザインターフェースは、前記収集した情報をサーバに送信するようにさらに構成されている、請求項４５に記載のシステム。
【請求項７３】
前記制御回路、前記ディスプレイ、および前記ユーザインターフェースは、前記収集した情報を、無線パスを介して、前記データ収集設備に送信するようにさらに構成されている、請求項４５に記載のシステム。
【請求項７４】
前記制御回路、前記ディスプレイ、および前記ユーザインターフェースは、前記収集した情報を前記データ収集設備に送信する前に、前記ユーザに通知するようにさらに構成されている、請求項４５に記載のシステム。
【請求項７５】
前記制御回路、前記ディスプレイ、および前記ユーザインターフェースは、
前記収集した情報を前記データ収集設備に送信する前に、前記ユーザに通知し、
該収集した情報を該データ収集設備に送信するかどうかを選択する機会を該ユーザに提供する、
ようにさらに構成されている、請求項４５に記載のシステム。
【請求項７６】
前記制御回路、前記ディスプレイ、および前記ユーザインターフェースは、電子メール添付物内の前記収集した情報を送信するようにさらに構成されている、請求項４５に記載のシステム。
【請求項７７】
前記制御回路、前記ディスプレイ、および前記ユーザインターフェースは、電子メールメッセージの本体内の前記収集した情報を送信するようにさらに構成されている、請求項４５に記載のシステム。
【請求項７８】
前記制御回路、前記ディスプレイ、および前記ユーザインターフェースは、
番組ガイドを用いて、前記収集した情報と共に前記データ収集設備にレポートとして送信される電子メールメッセージを生成し、
該電子メールメッセージ内の返信アドレスを、該データ収集設備の電子メールアドレスに自動的に設定する、
ようにさらに構成されている、請求項４５に記載のシステム。
【請求項７９】
前記制御回路、前記ディスプレイ、および前記ユーザインターフェースは、前記収集した情報を前記データ収集設備に送信する前に、前記ユーザ機器に関連するインボックスに電子メールメッセージを送信するようにさらに構成されている、請求項４５に記載のシステム。
【請求項８０】
前記制御回路、前記ディスプレイ、および前記ユーザインターフェースは、前記収集した情報を前記データ収集設備に送信する前に、該収集した情報の発信を認証する機会を前記ユーザに提供するようにさらに構成されている、請求項４５に記載のシステム。
【請求項８１】
前記データ収集設備において、前記収集した情報を分析する手段をさらに含む、請求項４５に記載のシステム。
【請求項８２】
前記データ収集設備がテレビ配信設備と通信している、請求項４５に記載のシステム。
【請求項８３】
前記データ収集設備がケーブルシステムヘッドエンドと通信している、請求項４５に記載のシステム。
【請求項８４】
前記データ収集設備がテレビ配信設備と通信しており、前記ユーザ機器が該テレビ配信設備と通信しており、前記制御回路、前記ディスプレイ、および前記ユーザインターフェースは、前記テレビ配信設備を介して前記収集した情報を該データ収集設備に送信するようにさらに構成されている、請求項４５に記載のシステム。
【請求項８５】
前記制御回路、前記ディスプレイ、および前記ユーザインターフェースは、前記収集した情報を、インターネットを介して前記データ収集設備に送信するようにさらに構成されている、請求項４５に記載のシステム。
【請求項８６】
前記制御回路、前記ディスプレイ、および前記ユーザインターフェースは、前記ユーザに、セットアップオプションを用いて、前記収集した情報の送信を認証させるようにさらに構成されている、請求項４５に記載のシステム。
【請求項８７】
前記制御回路、前記ディスプレイ、および前記ユーザインターフェースは、前記ユーザに、前記収集した情報を送信するための所望の周波数を選択させるようにさらに構成されている、請求項４５に記載のシステム。
【請求項８８】
前記制御回路、前記ディスプレイ、および前記ユーザインターフェースは、前記収集した情報を前記データ収集設備に送信する前に、前記ユーザに通知するかどうかを該ユーザに選択させるセットアップオプションを該ユーザに提供するようにさらに構成されている、請求項４５に記載のシステム。
【請求項８９】
ユーザ機器における、ユーザの、該ユーザ機器上に設けられた双方向テレビアプリケーションとのインタラクションに関する情報を収集し、該情報をデータ収集設備に提供する方法であって、該ユーザの、該双方向テレビアプリケーションとの該インタラクションに関する情報を収集する工程と、
該ユーザの、該双方向テレビアプリケーションとの該インタラクションに関する収集された情報を、電子メールプロトコルを用いて該データ収集設備に送信する工程と、
を含む方法。
【請求項９０】
電子メールアプリケーションを用いて前記収集した情報を送信する工程をさらに含む、請求項８９に記載の方法。
【請求項９１】
郵便局プロトコルを用いて前記収集した情報を送信する工程をさらに含む、請求項８９に記載の方法。
【請求項９２】
簡易メール転送プロトコルを用いて前記収集した情報を送信する工程をさらに含む、請求項８９に記載の方法。
【請求項９３】
双方向テレビ番組ガイドを用いて、前記情報を収集する工程をさらに含む、請求項８９に記載の方法。
【請求項９４】
双方向テレビ番組ガイドを用いて、前記ユーザのテレビ視聴習慣に関する情報を収集する工程と、該双方向テレビ番組ガイドを用いて、前記双方向テレビアプリケーションとの前記ユーザのインタラクションに関する情報を収集する工程とをさらに含む、請求項８９に記載の方法。
【請求項９５】
双方向テレビ番組ガイドを用いて、前記ユーザのテレビ視聴活動に関する情報を収集する工程と、
収集した前記ユーザのテレビ視聴活動に関する情報を、前記データ収集設備に送信する工程と、
をさらに含む、請求項８９に記載の方法。
【請求項９６】
前記双方向テレビアプリケーションを用いて、前記ユーザのテレビ視聴活動に関する情報を収集する工程をさらに含む、請求項８９に記載の方法。
【請求項９７】
双方向テレビ番組ガイドを用いて、前記ユーザの前記テレビ視聴習慣に関する情報を収集する工程をさらに含む、請求項８９に記載の方法。
【請求項９８】
前記ユーザが何時にテレビチャンネルにチャンネルを合わせたかに関する情報を収集する工程をさらに含む、請求項８９に記載の方法。
【請求項９９】
前記ユーザ機器が、セットトップボックスを含み、前記方法は、前記ユーザが、双方向テレビ番組ガイドを用いて該セットトップボックスを所与のテレビチャンネルに合わせることができるようにする工程を含む、請求項８９に記載の方法。
【請求項１００】
前記ユーザ機器が、デジタルビデオレコーダを含み、前記方法は、前記ユーザが、双方向テレビ番組ガイドを用いて該デジタルビデオレコーダを所与のテレビチャンネルに合わせることができるようにする工程を含む、請求項８９に記載の方法。
【請求項１０１】
前記ユーザ機器が、パーソナルコンピュータを含み、前記方法は、前記ユーザが、双方向テレビ番組ガイドを用いて該パーソナルコンピュータを所与のテレビチャンネルに合わせることができるようにする工程を含む、請求項８９に記載の方法。
【請求項１０２】
双方向テレビ番組ガイドを用いて、前記ユーザのために、前記ユーザ機器上に番組リスト項目を表示する工程をさらに含む、請求項８９に記載の方法。
【請求項１０３】
前記ユーザが、少なくとも双方向テレビ番組ガイドおよびビデオオンデマンドアプリケーションを呼び出すことができるようにするオプションを含む双方向メニューを前記ユーザ機器上に表示する工程をさらに含む請求項８９に記載の方法。
【請求項１０４】
前記ユーザのテレビ視聴習慣に関する情報を収集する工程が、時間をモニタリングすること、および、双方向テレビ番組ガイドを用いて前記ユーザによって合わせられた前記チャンネルをモニタリングすることにより、該ユーザのテレビ視聴習慣に関する情報を収集する工程を含む、請求項８９に記載の方法。
【請求項１０５】
前記情報を収集する工程が、該情報を、前記ユーザ機器上の記憶装置に格納する工程を含む、請求項８９に記載の方法。
【請求項１０６】
双方向テレビ番組ガイドが前記ユーザ機器上に設けられ、該ユーザ機器が、通信パスによってテレビ配信設備に接続され、番組リスト項目データが番組リスト項目ソースから提供され、該方法は、
該テレビ配信設備において、該番組リスト項目ソースから番組リスト項目データを受け取る工程と、
該通信パスを介して、該テレビ配信設備から該ユーザ設備上の該双方向テレビ番組ガイドに、該番組リスト項目データを提供する工程と、
を含む、請求項８９に記載の方法。
【請求項１０７】
前記収集した情報を送信する工程が、ページング周波数を用いて前記収集した情報を送信する工程を含む、請求項８９に記載の方法。
【請求項１０８】
前記収集した情報を送信する工程が、デジタル加入者回線通信を用いて前記収集した情報を送信する工程を含む、請求項８９に記載の方法。
【請求項１０９】
前記収集した情報を送信する工程が、ケーブル通信を用いて前記収集した情報を送信する工程を含む、請求項８９に記載の方法。
【請求項１１０】
前記収集した情報を送信する工程が、電話線を介した通信を用いて前記収集した情報を送信する工程を含む、請求項８９に記載の方法。
【請求項１１１】
前記収集した情報を送信する工程が、前記収集した情報をサーバに送信する工程を含む、請求項８９に記載の方法。
【請求項１１２】
前記収集した情報を、無線パスを介して、前記データ収集設備に送信する工程をさらに含む、請求項８９に記載の方法。
【請求項１１３】
前記収集した情報を前記データ収集設備に送信する工程の前に、前記ユーザに通知する工程をさらに含む、請求項８９に記載の方法。
【請求項１１４】
前記収集した情報を前記データ収集設備に送信する工程の前に、前記ユーザに通知する工程と、
前記収集した情報を前記データを該データ収集設備に送信するかどうかを選択する機会を該ユーザに提供する工程と、
を含む請求項８９に記載の方法。
【請求項１１５】
電子メール添付物内の前記収集した情報を送信する工程をさらに含む、請求項８９に記載の方法。
【請求項１１６】
電子メールメッセージの本体内の前記収集した情報を送信する工程をさらに含む、請求項８９に記載の方法。
【請求項１１７】
番組ガイドを用いて、前記収集した情報と共に前記データ収集設備にレポートとして送信される電子メールメッセージを生成する工程と、
該電子メールメッセージ内の返信アドレスを、該データ収集設備の電子メールアドレスに自動的に設定する工程と、
をさらに含む、請求項８９に記載の方法。
【請求項１１８】
前記収集した情報を前記データ収集設備に送信する工程の前に、前記ユーザ機器に関連するインボックスに電子メールメッセージを送信する工程をさらに含む、請求項８９に記載の方法。
【請求項１１９】
前記収集した情報を前記データ収集設備に送信する工程の前に、前記収集した情報の発信を認証する機会を前記ユーザに提供する工程をさらに含む、請求項８９に記載の方法。
【請求項１２０】
前記データ収集設備において、前記収集した情報を分析する工程をさらに含む、請求項８９に記載の方法。
【請求項１２１】
前記データ収集設備がテレビ配信設備と通信している、請求項８９に記載の方法。
【請求項１２２】
前記データ収集設備がケーブルシステムヘッドエンドと通信している、請求項８９に記載の方法。
【請求項１２３】
前記データ収集設備がテレビ配信設備と通信しており、前記ユーザ機器が該テレビ配信設備と通信しており、前記方法が、前記テレビ配信設備を介して前記収集した情報を前記データ収集設備に送信する工程をさらに含む、請求項８９に記載の方法。
【請求項１２４】
前記収集した情報を、インターネットを介して前記データ収集設備に送信する工程をさらに含む、請求項８９に記載の方法。
【請求項１２５】
前記ユーザに、セットアップオプションを用いて、前記収集した情報の送信を認証させる工程をさらに含む、請求項８９に記載の方法。
【請求項１２６】
前記ユーザに、前記収集した情報を送信するための所望の周波数を選択させる工程をさらに含む、請求項８９に記載の方法。
【請求項１２７】
前記収集した情報を前記データ収集設備に送信する工程の前に、該ユーザに通知するかどうかを選択させるセットアップオプションを該ユーザに提供する工程をさらに含む、請求項８９に記載の方法。
【請求項１２８】
双方向テレビアプリケーションが設けられたユーザ機器を含むシステムであって、該ユーザ機器におけるユーザの双方向テレビアプリケーションとのインタラクションに関する情報がデータ収集設備に提供される、システムであって、
制御回路と、
ディスプレイと、
ユーザ入力インターフェースとを含み、
該制御回路、該ディスプレイ、および該ユーザインターフェースは、
該ユーザの該双方向テレビアプリケーションとの該インタラクションに関する情報を収集し、
該ユーザの該双方向テレビアプリケーションとの該インタラクションに関する情報を、電子メールプロトコルを用いて該データ収集設備に送信する、
ように構成されている、システム。
【請求項１２９】
前記制御回路、前記ディスプレイ、および前記ユーザインターフェースは、電子メールアプリケーションを用いて、前記収集した情報を送信するようにさらに構成されている、請求項１２８に記載のシステム。
【請求項１３０】
前記制御回路、前記ディスプレイ、および前記ユーザインターフェースは、郵便局プロトコルを用いて、前記収集した情報を送信するようにさらに構成されている、請求項１２８に記載のシステム。
【請求項１３１】
前記制御回路、前記ディスプレイ、および前記ユーザインターフェースは、簡易メール転送プロトコルを用いて、前記情報を送信するようにさらに構成されている、請求項１２８に記載のシステム。
【請求項１３２】
前記制御回路、前記ディスプレイ、および前記ユーザインターフェースは、双方向テレビ番組ガイドを用いて、前記情報を収集するようにさらに構成されている、請求項１２８に記載のシステム。
【請求項１３３】
前記制御回路、前記ディスプレイ、および前記ユーザインターフェースは、双方向テレビ番組ガイドを用いて、前記ユーザのテレビ視聴習慣に関する情報を収集し、該双方向テレビ番組ガイドを用いて、前記双方向テレビアプリケーションとの該ユーザのインタラクションに関する情報を収集するようにさらに構成されている、請求項１２８に記載のシステム。
【請求項１３４】
前記制御回路、前記ディスプレイ、および前記ユーザインターフェースは、
双方向テレビ番組ガイドを用いて、前記ユーザのテレビ視聴活動に関する情報を収集し、
収集した前記ユーザのテレビ視聴活動に関する情報を、前記データ収集設備に送信する、
ようにさらに構成されている、請求項１２８に記載のシステム。
【請求項１３５】
前記制御回路、前記ディスプレイ、および前記ユーザインターフェースは、双方向テレビアプリケーションを用いて、前記ユーザのテレビ視聴活動に関する情報を収集するようにさらに構成されている、請求項１２８に記載のシステム。
【請求項１３６】
前記制御回路、前記ディスプレイ、および前記ユーザインターフェースは、前記ユーザのテレビ視聴習慣に関する情報を収集するようにさらに構成されている、請求項１２８に記載のシステム。
【請求項１３７】
前記制御回路、前記ディスプレイ、および前記ユーザインターフェースは、前記ユーザが何時にテレビチャンネルにチャンネルを合わせたかに関する情報を収集するようにさらに構成されている、請求項１２８に記載のシステム。
【請求項１３８】
前記ユーザ機器が、セットトップボックスを含み、前記制御回路、前記ディスプレイ、および前記ユーザインターフェースは、前記ユーザが、双方向テレビ番組ガイドを用いて該セットトップボックスを所与のテレビチャンネルに合わせることができるようにさらに構成されている、請求項１２８に記載のシステム。
【請求項１３９】
前記ユーザ機器が、デジタルビデオレコーダを含み、前記制御回路、前記ディスプレイ、および前記ユーザインターフェースは、前記ユーザが、双方向テレビ番組ガイドを用いて該デジタルビデオレコーダを所与のテレビチャンネルに合わせることができるようにさらに構成されている、請求項１２８に記載のシステム。
【請求項１４０】
前記ユーザ機器が、パーソナルコンピュータを含み、前記制御回路、前記ディスプレイ、および前記ユーザインターフェースは、前記ユーザが、双方向テレビ番組ガイドを用いて該パーソナルコンピュータを所与のテレビチャンネルに合わせることができるようにさらに構成されている、請求項１２８に記載のシステム。
【請求項１４１】
前記制御回路、前記ディスプレイ、および前記ユーザインターフェースは、双方向テレビ番組ガイドを用いて、前記ユーザのために、前記ユーザ機器上に番組リスト項目を表示するようにさらに構成されている、請求項１２８に記載のシステム。
【請求項１４２】
前記制御回路、前記ディスプレイ、および前記ユーザインターフェースは、前記ユーザが、少なくとも双方向テレビ番組ガイドおよびビデオオンデマンドアプリケーションを呼び出すことができるようにするオプションを含む双方向メニューを前記ユーザ機器上に表示するようにさらに構成されている、請求項１２８に記載のシステム。
【請求項１４３】
前記制御回路、前記ディスプレイ、および前記ユーザインターフェースは、時間をモニタリングすること、および、双方向テレビ番組ガイドを用いて前記ユーザによって合わせられた前記チャンネルをモニタリングすることにより、該ユーザのテレビ視聴習慣に関する情報を収集するようにさらに構成されている、請求項１２８に記載のシステム。
【請求項１４４】
前記制御回路、前記ディスプレイ、および前記ユーザインターフェースは、前記情報を、前記ユーザ機器上の記憶装置に格納するようにさらに構成されている、請求項１２８に記載のシステム。
【請求項１４５】
双方向テレビ番組ガイドが前記ユーザ機器上に設けられ、該ユーザ機器が通信パスによってテレビ配信設備に接続され、番組リスト項目データが番組リスト項目ソースから提供され、番組リスト項目データが該番組リスト項目ソースから提供され、該テレビ配信設備は、該テレビ配信設備において該番組リスト項目ソースから該番組リスト項目データを受け取り、該通信パスを介して該テレビ配信設備から該ユーザ機器上の該双方向テレビ番組ガイドへと該番組リスト項目データを提供するようにさらに構成されている、請求項１２８に記載のシステム。
【請求項１４６】
前記制御回路、前記ディスプレイ、および前記ユーザインターフェースは、ページング周波数を用いて前記収集した情報を送信するようにさらに構成されている、請求項１２８に記載のシステム。
【請求項１４７】
前記制御回路、前記ディスプレイ、および前記ユーザインターフェースは、デジタル加入者回線通信を用いて前記収集した情報を送信するようにさらに構成されている、請求項１２８に記載のシステム。
【請求項１４８】
前記制御回路、前記ディスプレイ、および前記ユーザインターフェースは、ケーブル通信を用いて前記収集した情報を送信するようにさらに構成されている、請求項１２８に記載のシステム。
【請求項１４９】
前記制御回路、前記ディスプレイ、および前記ユーザインターフェースは、電話線を介した通信を用いて前記収集した情報を送信するようにさらに構成されている、請求項１２８に記載のシステム。
【請求項１５０】
前記制御回路、前記ディスプレイ、および前記ユーザインターフェースは、前記収集した情報をサーバに送信するようにさらに構成されている、請求項１２８に記載のシステム。
【請求項１５１】
前記制御回路、前記ディスプレイ、および前記ユーザインターフェースは、前記収集した情報を、無線パスを介して、前記データ収集設備に送信するようにさらに構成されている、請求項１２８に記載のシステム。
【請求項１５２】
前記制御回路、前記ディスプレイ、および前記ユーザインターフェースは、前記収集した情報を前記データ収集設備に送信する前に、前記ユーザに通知するようにさらに構成されている、請求項１２８に記載のシステム。
【請求項１５３】
前記制御回路、前記ディスプレイ、および前記ユーザインターフェースは、
前記収集した情報を前記データ収集設備に送信する前に、前記ユーザに通知し、
前記収集した情報を該データ収集設備に送信するかどうかを選択する機会を該ユーザに提供する、
ようにさらに構成されている、請求項１２８に記載のシステム。
【請求項１５４】
前記制御回路、前記ディスプレイ、および前記ユーザインターフェースは、電子メール添付物内の前記収集した情報を送信するようにさらに構成されている、請求項１２８に記載のシステム。
【請求項１５５】
前記制御回路、前記ディスプレイ、および前記ユーザインターフェースは、電子メールメッセージの本体内の前記収集した情報を送信するようにさらに構成されている、請求項１２８に記載のシステム。
【請求項１５６】
前記制御回路、前記ディスプレイ、および前記ユーザインターフェースは、
番組ガイドを用いて、前記収集した情報と共に前記データ収集設備にレポートとして送信される電子メールメッセージを生成し、
該電子メールメッセージ内の返信アドレスを、該データ収集設備の電子メールアドレスに自動的に設定する、
ようにさらに構成されている、請求項１２８に記載のシステム。
【請求項１５７】
前記制御回路、前記ディスプレイ、および前記ユーザインターフェースは、前記収集した情報を前記データ収集設備に送信する前に、前記ユーザ機器に関連するインボックスに電子メールメッセージを送信するようにさらに構成されている、請求項１２８に記載のシステム。
【請求項１５８】
前記制御回路、前記ディスプレイ、および前記ユーザインターフェースは、前記収集した情報を前記データ収集設備に送信する前に、前記収集した情報の発信を認証する機会を前記ユーザに提供するようにさらに構成されている、請求項１２８に記載のシステム。
【請求項１５９】
前記データ収集設備において、前記収集した情報を分析する手段をさらに含む、請求項１２８に記載のシステム。
【請求項１６０】
前記データ収集設備がテレビ配信設備と通信している、請求項１２８に記載のシステム。
【請求項１６１】
前記データ収集設備がケーブルシステムヘッドエンドと通信している、請求項１２８に記載のシステム。
【請求項１６２】
前記データ収集設備がテレビ配信設備と通信しており、前記ユーザ機器が該テレビ配信設備と通信しており、前記制御回路、前記ディスプレイ、および前記ユーザインターフェースは、前記テレビ配信設備を介して前記収集した情報を前記データ収集設備に送信するようにさらに構成されている、請求項１２８に記載のシステム。
【請求項１６３】
前記制御回路、前記ディスプレイ、および前記ユーザインターフェースは、前記収集した情報を、インターネットを介して前記データ収集設備に送信するようにさらに構成されている、請求項１２８に記載のシステム。
【請求項１６４】
前記制御回路、前記ディスプレイ、および前記ユーザインターフェースは、前記ユーザが、セットアップオプションを用いて、前記収集した情報の送信を認証できるようにさらに構成されている、請求項１２８に記載のシステム。
【請求項１６５】
前記制御回路、前記ディスプレイ、および前記ユーザインターフェースは、前記ユーザが、前記収集した情報を送信するための所望の周波数を選択できるようにさらに構成されている、請求項１２８に記載のシステム。
【請求項１６６】
前記制御回路、前記ディスプレイ、および前記ユーザインターフェースは、前記収集した情報を前記データ収集設備に送信する前に、該ユーザに通知するかどうかを選択可能にするセットアップオプションを該ユーザに提供するようにさらに構成されている、請求項１２８に記載のシステム。
【請求項１６７】
ユーザ機器におけるユーザのテレビ視聴活動に関する情報を収集し、該情報をデータ収集設備に提供する方法であって、
該ユーザが該ユーザ機器を用いてどのテレビチャンネルにチャンネルを合わせたかをモニタリングすることによって、該ユーザの該テレビ視聴活動に関する情報を収集する工程と、
該収集した情報の該データ収集設備への発信を認証する機会を該ユーザに提供する工程と、
該ユーザが認証発信を有する場合、ウェブブラウザの通信機能を用いて、該ユーザの該テレビ視聴活動に関する該収集した情報を、該データ収集設備に送信する工程と、
を含む方法。
【請求項１６８】
ブラウザのフォーム機能を用いて前記収集した情報を送信する工程をさらに含む、請求項１６７に記載の方法。
【請求項１６９】
ファイル転送プロトコル（ＦＴＰ）を用いて前記収集した情報を送信する工程をさらに含む、請求項１６７に記載の方法。
【請求項１７０】
双方向テレビ番組ガイドを用いて、前記ウェブブラウザの通信機能にアクセスする工程をさらに含む、請求項１６７に記載の方法。
【請求項１７１】
双方向テレビ番組ガイドを用いて、前記ウェブブラウザのための入力を生成し、ユーザコマンドをエミュレートする工程をさらに含む、請求項１６７に記載の方法。
【請求項１７２】
ユーザ機器におけるユーザのテレビ視聴活動に関する情報がデータ収集設備に提供される、ユーザ機器を含むシステムであって、
制御回路と、
ディスプレイと、
ユーザ入力インターフェースとを含み、
該制御回路、該ディスプレイ、および該ユーザインターフェースは、
該ユーザが該制御回路を用いてどのテレビチャンネルにチャンネルを合わせたかをモニタリングすることによって、該ユーザの該テレビ視聴活動に関する情報を収集し、
該収集した情報の該データ収集設備への発信を認証する機会を該ユーザに提供し、
該ユーザが認証発信を有する場合、ウェブブラウザの通信機能を用いて、該ユーザの該テレビ視聴活動に関する該収集した情報を、該データ収集設備に送信する、
ように構成されている、システム。
【請求項１７３】
前記制御回路、前記ディスプレイ、および前記ユーザインターフェースは、ブラウザのフォーム機能を用いて前記収集した情報を送信するようにさらに構成されている、請求項１７２に記載のシステム。
【請求項１７４】
前記制御回路、前記ディスプレイ、および前記ユーザインターフェースは、ファイル転送プロトコル（ＦＴＰ）を用いて前記収集した情報を送信するようにさらに構成されている、請求項１７２に記載のシステム。
【請求項１７５】
前記制御回路、前記ディスプレイ、および前記ユーザインターフェースは、双方向テレビ番組ガイドを用いて、前記ウェブブラウザの通信機能にアクセスするようにさらに構成されている、請求項１７２に記載のシステム。
【請求項１７６】
前記制御回路、前記ディスプレイ、および前記ユーザインターフェースは、双方向テレビ番組ガイドを用いて、前記ウェブブラウザのための入力を生成し、ユーザコマンドをエミュレートするようにさらに構成されている、請求項１７２に記載のシステム。
【請求項１７７】
ユーザ機器における、ユーザの、該ユーザ機器に設けられた双方向テレビアプリケーションとのインタラクションに関する情報を収集し、該情報をデータ収集設備に提供する方法であって、
該ユーザの、該ユーザ機器に設けられた双方向テレビアプリケーションとのインタラクションに関する情報を収集する工程と、
該収集した情報の該データ収集設備への発信を認証する機会を該ユーザに提供する工程と、
該ユーザが認証発信を有する場合、ウェブブラウザの通信機能を用いて、該ユーザの該テレビ視聴活動に関する該収集した情報を、該データ収集設備に送信する工程と、
を含む方法。
【請求項１７８】
ブラウザのフォーム機能を用いて前記収集した情報を送信する工程をさらに含む、請求項１７７に記載の方法。
【請求項１７９】
ファイル転送プロトコル（ＦＴＰ）を用いて前記収集した情報を送信する工程をさらに含む、請求項１７７に記載の方法。
【請求項１８０】
双方向テレビ番組ガイドを用いて、前記ウェブブラウザの通信機能にアクセスする工程をさらに含む、請求項１７７に記載の方法。
【請求項１８１】
双方向テレビ番組ガイドを用いて、前記ウェブブラウザのための入力を生成し、ユーザコマンドをエミュレートする工程をさらに含む、請求項１７７に記載の方法。
【請求項１８２】
ユーザの、ユーザ機器に設けられた双方向テレビアプリケーションとのインタラクションに関する情報が収集され、データ収集設備に提供される、ユーザ機器を含むシステムであって、
制御回路と、
ディスプレイと、
ユーザ入力インターフェースとを含み、
該制御回路、該ディスプレイ、および該ユーザインターフェースは、
該ユーザの、該ユーザ機器に設けられた該双方向テレビアプリケーションとの該インタラクションに関する情報を収集し、
該収集した情報の該データ収集設備への発信を認証する機会を該ユーザに提供し、
該ユーザが認証発信を有する場合、ウェブブラウザの通信機能を用いて、該ユーザの該テレビ視聴活動に関する該収集した情報を、該データ収集設備に送信する、
ように構成されている、システム。
【請求項１８３】
前記制御回路、前記ディスプレイ、および前記ユーザインターフェースは、ブラウザのフォーム機能を用いて前記収集した情報を送信するようにさらに構成されている、請求項１８２に記載のシステム。
【請求項１８４】
前記制御回路、前記ディスプレイ、および前記ユーザインターフェースは、ファイル転送プロトコル（ＦＴＰ）を用いて前記収集した情報を送信するようにさらに構成されている、請求項１８２に記載のシステム。
【請求項１８５】
前記制御回路、前記ディスプレイ、および前記ユーザインターフェースは、双方向テレビ番組ガイドを用いて、前記ウェブブラウザの通信機能にアクセスするようにさらに構成されている、請求項１８２に記載のシステム。
【請求項１８６】
前記制御回路、前記ディスプレイ、および前記ユーザインターフェースは、双方向テレビ番組ガイドを用いて、前記ウェブブラウザのための入力を生成し、ユーザコマンドをエミュレートするようにさらに構成されている、請求項１８２に記載のシステム。
【請求項１８７】
ユーザ機器における、ユーザのテレビ視聴活動に関する情報を収集し、該情報をデータ収集設備に提供する方法であって、
該ユーザが該ユーザ機器を用いてどのテレビチャンネルにチャンネルを合わせたかをモニタリングすることによって、該ユーザの該テレビ視聴活動に関する情報を収集する工程と、
該収集した情報の該データ収集設備への発信を認証する機会を該ユーザに提供する工程と、
該ユーザが認証発信を有する場合、独立ＦＴＰアプリケーションを用いて、該ユーザの該テレビ視聴活動に関する該収集した情報を、該データ収集設備に送信する工程と、
を含む方法。
【請求項１８８】
ユーザ機器におけるユーザのテレビ視聴活動に関する情報がデータ収集設備に提供される、ユーザ機器を含むシステムであって、
制御回路と、
ディスプレイと、
ユーザ入力インターフェースとを含み、
該制御回路、該ディスプレイ、および該ユーザインターフェースは、
該ユーザが該制御回路を用いてどのテレビチャンネルにチャンネルを合わせたかをモニタリングすることによって、該ユーザの該テレビ視聴活動に関する情報を収集し、
該収集した情報の該データ収集設備への発信を認証する機会を該ユーザに提供し、
該ユーザが認証発信を有する場合、独立ＦＴＰアプリケーションを用いて、該ユーザの該テレビ視聴活動に関する該収集した情報を、該データ収集設備に送信する、
ように構成されている、システム。
【請求項１８９】
ユーザ機器における、ユーザの、該ユーザ機器に設けられた双方向テレビアプリケーションとのインタラクションに関する情報を収集し、該情報をデータ収集設備に提供する方法であって、
該ユーザの、該ユーザ機器に設けられた双方向テレビアプリケーションとのインタラクションに関する情報を収集する工程と、
該収集した情報の該データ収集設備への発信を認証する機会を該ユーザに提供する工程と、
該ユーザが認証発信を有する場合、独立ＦＴＰアプリケーションを用いて、該ユーザの該テレビ視聴活動に関する該収集した情報を、該データ収集設備に送信する工程と、
を含む方法。
【請求項１９０】
ユーザ機器を含むシステムであって、ユーザの、該ユーザ機器に設けられた双方向テレビアプリケーションとのインタラクションに関する情報が収集され、データ収集設備に提供される、ユーザ機器を含むシステムであって、
制御回路と、
ディスプレイと、
ユーザ入力インターフェースとを含み、
該制御回路、該ディスプレイ、および該ユーザインターフェースは、
該ユーザの、該ユーザ機器に設けられた該双方向テレビアプリケーションとの該インタラクションに関する情報を収集し、
該収集した情報の該データ収集設備への発信を認証する機会を該ユーザに提供し、
該ユーザが認証発信を有する場合、独立ＦＴＰアプリケーションを用いて、該ユーザの該テレビ視聴活動に関する該収集した情報を、該データ収集設備に送信する、
ように構成されている、システム。
【請求項１９１】
ユーザ機器における、ユーザのテレビ視聴活動に関する情報を収集し、該情報をデータ収集設備に提供する方法であって、
該ユーザが該ユーザ機器を用いてどのテレビチャンネルにチャンネルを合わせたかをモニタリングすることによって、該ユーザの該テレビ視聴活動に関する情報を収集する工程と、
該収集した情報の該データ収集設備への発信を認証する機会を該ユーザに提供する工程と、
該ユーザが認証発信を有する場合、該ユーザ機器にインストールされたオペレーティングシステムの通信機能を用いて、該ユーザの該テレビ視聴活動に関する該収集した情報を、該データ収集設備に送信する工程と、
を含む方法。
【請求項１９２】
該ユーザ機器におけるユーザのテレビ視聴活動に関する情報がデータ収集設備に提供される、ユーザ機器を含むシステムであって、
制御回路と、
ディスプレイと、
ユーザ入力インターフェースとを含み、
該制御回路、該ディスプレイ、および該ユーザインターフェースは、
該ユーザが該制御回路を用いてどのテレビチャンネルにチャンネルを合わせたかをモニタリングすることによって、該ユーザの該テレビ視聴活動に関する情報を収集し、
該収集した情報の該データ収集設備への発信を認証する機会を該ユーザに提供し、
該ユーザが認証発信を有する場合、該ユーザ機器にインストールされたオペレーティングシステムの通信機能を用いて、該ユーザの該テレビ視聴活動に関する該収集した情報を、該データ収集設備に送信する、
ように構成されている、システム。
【請求項１９３】
ユーザ機器における、ユーザの、該ユーザ機器に設けられた双方向テレビアプリケーションとのインタラクションに関する情報を収集し、該情報をデータ収集設備に提供する方法であって、
該ユーザの、該ユーザ機器に設けられた双方向テレビアプリケーションとのインタラクションに関する情報を収集する工程と、
該収集した情報の該データ収集設備への発信を認証する機会を該ユーザに提供する工程と、
該ユーザが認証された発信を有する場合、該ユーザ機器にインストールされたオペレーティングシステムの通信機能を用いて、該収集した情報を、該データ収集設備に送信する工程と、
を含む方法。
【請求項１９４】
ユーザの、ユーザ機器に設けられた双方向テレビアプリケーションとのインタラクションに関する情報が収集され、データ収集設備に提供される、ユーザ機器を含むシステムであって、
制御回路と、
ディスプレイと、
ユーザ入力インターフェースとを含み、
該制御回路、該ディスプレイ、および該ユーザインターフェースは、
該ユーザの、該ユーザ機器に設けられた該双方向テレビアプリケーションとの該インタラクションに関する情報を収集し、
該収集した情報の該データ収集設備への発信を認証する機会を該ユーザに提供し、
該ユーザが認証された発信を有する場合、該ユーザ機器にインストールされたオペレーティングシステムの通信機能を用いて、該収集した情報を、該データ収集設備に送信する、
ように構成されている、システム。
【発明の詳細な説明】
【０００１】
（発明の背景）
本発明は、テレビジョンシステム、およびより詳細には、データがユーザの活動上で収集される双方向テレビジョン番組ガイドシステムなどの双方向テレビジョンシステムに関する。
【０００２】
双方向テレビジョン番組ガイドは、典型的にはテレビジョンに接続されたセットトップボックスにおいて実施される。そのような番組ガイドは、双方向テレビジョン番組リストの画面をユーザに提示するように使用され得る。
【０００３】
番組ガイドはまた、ユーザがテレビジョンを見ている場合にセットトップボックスがどのテレビジョンチャネルに同調するかを制御するように使用され得る。例えば、番組ガイドは、ユーザのリモートコントロールからのチャネル変更コマンドに応答して異なるテレビジョンチャネルに同調し得る。ユーザはまた、記録または視聴のための番組ガイドから番組を選択する。番組のためのさらなる情報は、ハイライト領域を有するその番組のための表示リストを選択することによって得られ得る。
【０００４】
ユーザの番組ガイドとの相互作用およびユーザが見るテレビジョン番組は、ユーザの興味を示す。これらの活動はモニタリングされ得る。視聴者の興味について収集された情報はマーケティングの目的のために使用され得る。例えば、視聴者の興味について収集された情報は、ユーザに対する番組ガイド広告の的をしぼるために使用され得る。これは、例えば、Ｋｎｕｄｓｏｎらの米国特許出願シリアルＮｏ．０９／０３４，９３９（１９９８年３月４日出願）に記載され、この出願はその全体を本明細書中において参考として援用される。視聴者のモニタリングは、例えば、Ｔｈｏｍａｓらの米国特許出願シリアル番号０９／１３９，７９８（１９９８年８月２５日出願）に記載され、この出願はその全体を本明細書中において参考として援用される。
【０００５】
本発明の目的は、ユーザの視聴習慣および他の活動についての情報を収集するための構成を提供することである。
【０００６】
（発明の要旨）
ユーザのテレビジョン視聴活動、および双方向テレビジョンプログラムガイドまたは他のテレビジョンアプリケーションとの相互作用についての情報を集めるシステムが提供される。
【０００７】
ユーザの活動は、双方向テレビジョン番組ガイドまたは他のアプリケーションによってモニタリングされ得る。モニタリングソフトウェアは、例えば、ユーザがどのチャネルを見るかについての情報、各チャネルの視聴時間、および室内に家庭のどのメンバがいるのかについての情報を、テレビジョンが使用されている間に保持し得る。情報はまた、ユーザの双方向テレビジョン番組ガイドまたは他の双方向テレビジョンアプリケーションとの相互作用について収集され得る。例えば、ユーザがどのインタラクティブボタンを選択するか、ユーザがどの画面を視聴するか、などについて収集され得る。
【０００８】
収集されるユーザの情報は、分析のためにデータ収集機構に送信され得る。分析によって、あるテレビジョン番組が他よりも人気があるとか、ある番組ガイド画面が他よりも人気があるとか、などが明らかにされ得る。分析によってまた、視聴者の特定の興味、およびデータトレンドが明らかにされ得る。番組ガイドとの視聴者のある相互作用と視聴者のある活動との間に相関が観察され得る。
【０００９】
ユーザは、分析のためのデータ収集機構へ定期的に情報を提出することを要求するモニタリングスキームに参加し得る。必要に応じて、ユーザ情報の収集およびデータ収集機構への送信は、自動的におよびユーザの介入なしに行なわれ得る。
【００１０】
ユーザデータのデータ収集機構への送信は、電子メールを使用して、ユーザのブラウザアプリケーションの通信機能（例えば、そのようなブラウザのフォーム機能）を使用して、ユーザの設備上のオペレーティングシステムに関連する通信機能を使用して、独立したＦＴＰアプリケーションを使用して、などによって行なわれ得る。
【００１１】
本発明のさらなる特徴、その性質および種々の利点は、添付の図面および以下の好ましい実施形態の詳細なる記載からより明らかとなり得る。
【００１２】
（好適な実施例の詳細な説明）
図１に、本発明による例示的双方向テレビシステム１０を示す。通信経路１６を用いて、テレビ番組内容およびデジタル音楽を番組内容ソース１２からテレビ配信設備（例えば、テレビ配信設備１４）に提供することができる。番組内容ソース１２は、テレビおよび音楽番組内容の任意の適切なソース（例えば、テレビおよび音楽プロダクションスタジオなど）であり得る。
【００１３】
テレビ配信設備１４は、ケーブルシステムヘッドエンド、衛星テレビ配信設備、テレビ放送設備、またはテレビおよび音楽番組内容をユーザに配信するための他の任意の適切な設備であり得る。システム１０中のテレビ配信設備１４は典型的には極めて多岐にわたるが、図面が過度に複雑になるのを避けるため、図１においては１つのみを示す。
【００１４】
通信経路１６は、衛星経路、光ファイバ経路、ケーブル経路または任意の他の適切な有線もしくはワイヤレス通信経路またはこのような経路の組み合わせであり得る。
【００１５】
テレビ配信設備１４は、様々なユーザ機器デバイス１８に接続され得る。このようなユーザ機器１８は、例えば、ユーザの家庭に配置され得る。ユーザ機器１８は、ユーザテレビ機器２０またはユーザコンピュータ機器２２を含み得る。
【００１６】
ユーザ機器は、テレビ配信設備１４から、通信経路（例えば、通信経路２６、２７および２８）を介してテレビおよび音楽番組内容ならびに他の情報を受信し得る。ユーザ機器はまた、経路２６、２７および２８を介して信号をテレビ配信設備１４に送信し得る。経路２６、２７および２８は、ケーブル接続または他の有線接続、自由空間接続（例えば、ブロードキャスト信号または他のワイヤレス信号用の接続）、衛星リンク等であり得る。
【００１７】
番組リスト項目ソース３０を用いて、テレビ番組のスケジュール情報（例えば、放送予定時間情報）、タイトル情報、チャンネル情報、格付け情報（例えば、視聴制限格付けおよび批評家の格付け）、タイトルの詳細の情報、ジャンル情報またはカテゴリ情報（例えば、スポーツ、ニュース、映画等）、俳優および女優、上映時間等に関する情報をユーザに提供することができる。
【００１８】
番組リスト項目ソース３０は、番組スケジュール情報を、関連するユーザ機器への経路２６、２７および２８を介した配信用として、通信経路３２を介してテレビ配信設備１４に提供することができる。通信経路３２は、任意の適切な通信経路（例えば、衛星通信経路または他のワイヤレス経路、光ファイバ経路または他の有線通信経路、このような経路の組み合わせ等）であり得る。
【００１９】
ユーザ機器デバイス（例えば、ユーザテレビ機器およびパーソナルコンピュータ）は、番組スケジュール情報を用いて、番組リスト項目とデジタル音楽に関する情報とをユーザに表示し得る。双方向テレビ番組ガイドアプリケーションまたは他の適切なアプリケーションを用いて、このような情報をユーザのディスプレイ上に表示することが可能である。
【００２０】
オンライン番組ガイドは、通信ネットワーク３４（例えば、サーバ３６）に接続されたサーバによって提供され得る。サーバ３６は、通信経路３８、通信ネットワーク３４および通信経路４０を介して、番組リスト項目ソース３０から番組スケジュール情報を受信し得る。経路３８および４０は、衛星経路、光ファイバ経路、有線経路等であり得る。通信ネットワーク３４は、任意の適切な通信ネットワーク（例えば、インターネット、公衆通信交換網電話ネットワーク、パケットベースのネットワーク等）であり得る。
【００２１】
ユーザ機器１８は、通信経路４２を介してオンライン番組ガイドにアクセスすることができる。通信経路４２は、任意の適切な通信経路（例えば、有線経路、ケーブル経路、光ファイバ経路、衛星経路、このような経路の組み合わせまたは他の任意の適切な経路）であり得る。ユーザ機器１８はまた、通信経路２６、テレビ配信設備１４および通信経路４４を介してオンライン番組ガイドにアクセスすることもできる。例えば、ユーザ機器１８は、ケーブルモデムまたはそのようなものを用いてテレビ配信設備１４と通信することができる。テレビ配信設備１４は、任意の適切な経路４４（例えば、有線経路、ケーブル経路、光ファイバ経路、衛星経路、このような経路の組み合わせ等）を介して、通信ネットワーク３４と通信することができる。
【００２２】
ユーザ機器（例えば、ユーザテレビ機器２０およびユーザコンピュータ機器２２）は、類似の構成を用いて、オンライン番組ガイドにアクセスすることができる。ユーザテレビ機器２０は、通信経路４６を用いるかまたは経路２７、テレビ配信設備１４および経路４４を用いて、オンライン番組ガイドにアクセスすることができる。ユーザコンピュータ機器２２は、通信経路４８を用いるかまたは経路２８、テレビ配信設備１４および経路４４を用いて、オンライン番組ガイドにアクセスすることができる。経路４６および４８は、任意の適切な経路（例えば、有線経路、ケーブル経路、光ファイバ経路、衛星経路、このような経路の組み合わせ等）であり得る。
【００２３】
番組ガイドアプリケーション以外の双方向テレビアプリケーションが、サービスプロバイダ（例えば、サービスプロバイダ５０）を用いることができる。例えば、ホームショッピングサービスが、営業担当者、注文対応設備、アカウント保持設備および双方向ホームショッピング機能をサポートする他の機器を有するサービスプロバイダ（例えば、サービスプロバイダ５０）によってサポートされ得る。ユーザ機器を用いてインプリメントされるホームショッピングアプリケーションを用いてサービスプロバイダにアクセスして、これらの機能をユーザに提供することが可能である。ユーザ機器は、テレビ配信設備１４および通信経路５２を介するかまたは通信ネットワーク３４および通信経路５４を介して、サービスプロバイダ５０にアクセスすることができる。通信経路（例えば、経路５２および５４）は、任意の適切な経路（例えば、有線経路、ケーブル経路、光ファイバ経路、衛星経路、このような経路の組み合わせ等）であり得る。
【００２４】
双方向テレビアプリケーションの別の例として、ホームバンキングアプリケーションがある。ホームバンキングサービスは、設備（例えば、サービスプロバイダ５０）に居る人員を用いてサポートされ得る。ユーザ機器を用いてインプリメントされる双方向ホームバンキングアプリケーションは、テレビ配信設備１４および通信経路５２を介してまたは通信ネットワーク３４および通信経路５４を介して、ホームバンキングサービスにアクセスすることができる。
【００２５】
所望であれば、双方向テレビアプリケーション（例えば、ビデオオンデマンドアプリケーション）が、サーバ５６を用いてサポートされ得る。映像はサーバ５６に格納され、ユーザからのリクエストがあったときにユーザ機器に提供され得る。
【００２６】
所望される場合、双方向テレビ番組ガイドアプリケーション、ホームショッピングアプリケーション、ホームバンキングアプリケーション、ビデオオンデマンドアプリケーション、および他のアプリケーション（例えば、電子メールおよびチャットあるいは他の通信機能に関するアプリケーションなど）のようなアプリケーションは、ナビゲーションシェルアプリケーション（すなわち、アプリケーションに対応するメニューオプションを有するメニューアプリケーション）を通じてアクセスされる別個のアプリケーションとして提供され得る。このようなアプリケーションの機能は、組合せられ得る。例えば、ビデオオンデマンド、ホームショッピング、および通信機能は、番組ガイドに組み込まれ得る。
【００２７】
さらに、双方向テレビ番組ガイドアプリケーション、ホームバンキングアプリケーション、ホームショッピングアプリケーション、ビデオオンデマンドアプリケーション、通信アプリケーション、およびナビゲーションシェルアプリケーションは、システム１０によってサポートされ得るタイプの双方向テレビアプリケーションの例示的な実施例のうちのいくつかにしか過ぎない。サポートされ得る他の適切なアプリケーションには、ニュースサービス、インターネットサービス、双方向テレビ賭博サービス（例えば、競馬などの賭博のため）、通信サービス（例えば、電子メール、チャットなど）、および任意の他の適切な双方向テレビアプリケーションが含まれる。
【００２８】
これらのアプリケーションは、ユーザ機器上でローカルに実行され得る。また、これらのアプリケーションは、ユーザ機器がクライアントプロセッサとして機能し、テレビ配信設備１４または他の適切な位置のサーバ５６のようなサーバが、サーバプロセッサとして動作するクライアント−サーバアーキテクチャを用いて実行され得る。また、所望される場合には、他の配信されたアーキテクチャが用いられ得る。番組ガイド、ホームショッピング、ホームバンキング、ビデオオンデマンド、インターネット、通信などに関する双方向テレビ機能を実行するために用いられる特定の配置に関わらず、これらの機能をサポートするソフトウェアは、アプリケーションと呼ばれ得る。
【００２９】
ユーザがアプリケーションとインタラクトし、ユーザがユーザ機器でテレビを視聴する際、ユーザのアクティビティについて情報が集められ得る。例えば、ユーザがどのテレビチャンネルにチューニングするかに関して情報が集められ得、ユーザが各々のテレビチャンネルを視聴する時間に関して情報が集められ得る。所与の時間に放送中の番組が番組スケジュールデータから判定され得るので、ユーザがチューニングするテレビチャンネル、およびこれらのチャンネルがチューニングされる時間についての情報を集めることは、ユーザの視聴習慣をモニタリングすることを可能にする。双方向テレビアプリケーションとインタラクトする場合、ユーザがどの選択可能なオンスクリーン双方向テレビアプリケーションオプションを選択するかについて、情報が集められ得る。これは、例えば、ユーザが応答する広告についての情報、ユーザのテレビ番組のお気に入りのジャンルについての情報、他のユーザの関心（例えば、スポーツ、ニュースなど）についての情報を明らかにし得る。
【００３０】
ユーザのアクティビティについて収集される情報は、処理されるために、適切なデータ収集設備に伝えられ得る。例えば、情報は、ユーザテレビ機器１８で収集され、通信経路２６、テレビ配信設備１４、および通信経路１５を介して、あるいは、通信経路４２、通信ネットワーク３４（例えば、インターネット）、および通信経路１７を介して、データ収集設備１３のコンピュータ機器に伝えられ得る。通信経路１５および１７は、光ファイバ経路、ケーブルまたは他のワイヤ経路、ワイヤレス経路、または任意の他の適切な通信経路であり得る。
【００３１】
所望される場合、データ収集設備は、テレビ配信設備１４に位置し得る。データは、例えば、サーバ５６のようなサーバを用いて収集され得る。ユーザデータは、インターネットまたは他の通信ネットワークに接続されたサーバで、収集され得る。例えば、ユーザのアクティビティに関する情報は、サーバ３６のようなサーバを用いて収集され得る。これらの実施例は、例示に過ぎない。ユーザ情報は、任意の適切な設備を用いて収集され得る。
【００３２】
さらに、ユーザ情報は、テレビ番組および双方向テレビサービスをユーザに提供するために用いられるアーキテクチャのタイプに関わらず、収集され得る。例えば、クライアント−サーバ構成が番組ガイドサービスをユーザに提供するために用いられる場合、ユーザについて、サーバで集められた情報は、サーバとデータ収集設備との間の通信経路を用いて、データ収集設備に提供され得る。このような経路は、例えば、通信ネットワーク３４のような通信ネットワークを伴う。
【００３３】
セットトップボックス構成に基づく例示的なユーザテレビ機器２０を、図２に示す。入力／出力６０は、経路２７および４６のような通信経路に接続され得る。テレビ番組および他の情報は、入力／出力５８を用いて、受信され得る。ユーザからのコマンドおよびリクエスト、ならびに他の情報は、入力／出力５８を用いて受信され得る。また、ユーザからのコマンドおよびリクエスト、ならびに他の情報は、入力／出力５８を介して、送信され得る。
【００３４】
セットトップボックス６０は、任意の適切なアナログまたはデジタルセットトップボックスであり得る。セットトップボックス６０は、所望のアナログテレビチャンネルにチューニングするアナログチューナーを含み得る。また、セットトップボックス６０は、デジタルテレビチャンネルおよび音楽チャンネルを受信するデジタルデコード回路を含み得る。アナログチャンネルとデジタルチャンネルとの両方が、所望される場合、共に処理され得る。また、セットトップボックス６０は、ソフトウェアアプリケーションを実行するために用いられる、プロセッサ（例えば、マイクロコントローラまたはマイクロプロセッサなど）を伴う。セットトップボックス６０は、アプリケーションを実行するときに用いられる、ランダムアクセスメモリのようなメモリを含み得る。不揮発性メモリも、（例えば、立ち上げルーチンおよび他の命令を起動するために）用いられ得る。ハードディスク格納装置が、データのバックアップを取るために、または、別な方法で、ランダムアクセスメモリアプローチを用いる場合にサポートされ得るデータベースよりも大きいデータベースをサポートするために、用いられ得る。
【００３５】
セットトップボックス６０は、リモコンと通信する、赤外線（ＩＲ）回路部または他の通信回路部を有し得る。また、セットトップボックス６０は、専用ボタンおよびフロントパネルディスプレイを有し得る。フロントパネルディスプレイは、例えば、セットトップボックスがチューニングされている、現在のチャンネルを表示するために用いられる。
【００３６】
また、セットトップボックス６０は、通信回路部、例えば、ケーブルでのケーブル通信用のケーブルモデム、ＩＳＤＮ通信用の統合サービスデジタル網（ＩＳＤＮ）モデム、ＤＳＬ通信用のデジタル加入者線（ＤＳＬ）モデム、電話回線での通信用の電話モデム、ページング通信（例えば、ページング周波数を用いる無線高周波数伝送）用のページング通信回路部、携帯電話通信回路部（例えば、デジタル携帯電話データ通信用）、および他のアプローチを用いる通信用の他の機器を有し得る。このような通信は、インターネットまたは任意の他の適切な通信ネットワークまたは経路を含む。
【００３７】
ビデオカセットレコーダ６２または他の適切な記録デバイスが、セットトップボックス６０に接続され得る。これにより、セットトップボックス６０からの映像を記録することができる。例えば、セットトップボックス６０が所与のテレビチャンネルに合わされる場合、そのテレビチャンネルのための映像信号が、ビデオカセットへの記録のためにビデオカセットレコーダ６２に送られ得る。所望であれば、スタート、ストップ、記録等のビデオカセットレコーダの機能が、セットトップボックス６０により制御され得る。例えば、セットトップボックス６０は、ビデオカセットレコーダ６２のリモコンの入力に向けられる赤外線コマンドを用いて、ビデオカセットレコーダ６２を制御し得る。
【００３８】
ビデオカセットレコーダ６２の出力は、ユーザへの表示のために、テレビ６４に提供され得る。ビデオカセットレコーダ６２が使用されていない場合、セットトップボックス５８からの映像信号が直接テレビ６４に提供され得る。所望であれば、任意の適切なモニタが、映像を表示するために用いられ得る。
【００３９】
ユーザテレビ機器２０の別の例示的な構成を図３に示す。図３の例では、ユーザテレビ機器２０がデジタルビデオレコーダ６６（例えば、パーソナルビデオレコーダ（ＰＶＲ））、およびテレビ６８を備える。入力／出力７０は、パス２７および４６等の通信パスに接続され得る。テレビ番組および他の情報が、入力／出力７０を用いて受信され得る。ユーザからのコマンド、リクエスト、および他の情報が入力／出力７０を介して送信され得る。
【００４０】
ハードディスクまたは他の適切な記憶媒体が、ビデオカセットの代わりに、映像を記憶するために用いられ得ることを除いて、デジタルビデオレコーダ６６は、標準のセットトップボックスと同様であり得る。ハードディスクは、デジタルビデオレコーダ６６の内部にあり得る。
【００４１】
デジタルビデオレコーダ６６は、所望のアナログテレビチャンネルに合わせるためのアナログチューナを備え得る。デジタルビデオレコーダ６６はまた、デジタルテレビチャンネルおよびデジタル音楽チャネルを受信するためのデジタルデコード回路を備え得る。所望であれば、デジタルビデオレコーダ６６は、アナログチャンネルおよびデジタルチャンネルの両方を処理する回路を備え得る。デジタルビデオレコーダ６６はまた、ソフトウェアアプリケーションを実行するために用いられるプロセッサ（例えば、マイクロコントローラ、マイクロプロセッサ等）を備え得る。デジタルビデオレコーダ６６は、アプリケーションの実行時に用いられるランダムアクセスメモリ等のメモリを備え得る。不揮発性メモリも、ブートアップルーチン（ｂｏｏｔ−ｕｐ　ｒｏｕｔｉｎｅ）、または他の命令を記憶するために用いられ得る。デジタルビデオレコーダ６６内のハードディスクおよび他の記憶装置が、データベース（例えば、番組ガイドデータベース、または双方向テレビアプリケーションデータベース）をサポートするために用いられ得る。
【００４２】
デジタルビデオレコーダ６６は、ＩＲ通信回路、またはリモコンと通信するための他の適切な通信回路を有し得る。デジタルビデオレコーダ６６はまた、専用ボタン、および前面パネルディスプレイを有し得る。例えば、前面パネルディスプレイは、デジタルビデオレコーダが合わせている現在のチャンネルを表示するために用いられ得る。
【００４３】
デジタルビデオレコーダ６６はまた、ケーブルモデム、統合サービスデジタル通信網（ＩＳＤＮ）モデム、デジタル加入者線（ＤＳＬ）モデム、電話モデム等の他の機器と通信するための通信回路を有し得る。このような通信は、インターネット、もしくは任意の他の適切な通信ネットワークまたは通信パスを含み得る。
【００４４】
所望であれば、図３のデジタルビデオレコーダ６６、または図２のセットトップボックス６０は、衛星受信器、または衛星信号を受信するための無線通信回路を有する他の機器であり得る。
【００４５】
テレビ番組は、デジタルビデオレコーダ６６のハードディスクに記録され得る。デジタルビデオレコーダ６６は、それ以前に記録された映像をテレビ６８で再生しながら、新たな映像を記録し得る。これにより、ユーザが、通常のテレビ視聴時に一時停止ボタンを押すことが可能になる。一時停止ボタンが押されると、現在のテレビ番組がデジタルビデオレコーダ６６のハードディスクに記憶される。ユーザが再生を押すと、記録された映像が再生され得る。この構成により、ユーザが、テレビの視聴を切れ目なく一時停止し、再開することが可能になる。
【００４６】
図２のセットトップボックス構成、および図３のデジタルビデオレコーダセットトップボックス構成は、例示に過ぎない。所望であれば、他の構成が用いられ得る。例えば、ユーザテレビ機器は、ＷｅｂＴＶ　ｂｏｘ、パーソナルコンピュータテレビ（ＰＣ／ＴＶ）、または任意の他の適切なテレビ機器構成に基づき得る。所望であれば、セットトップボックス６０、デジタルビデオレコーダ６６、ＷｅｂＴＶ　ｂｏｘ、またはＰＣ／ＴＶ等のコンポーネントの機能が、テレビ、パーソナルコンピュータ、または他の適切なデバイスに組み込まれ得る。
【００４７】
ユーザテレビ機器２０を操作するための例示的なリモコン７２を図４に示す。リモコン７２は、チャンネル上キーおよびチャンネル下キー、電源ｏｎ／ｏｆｆキー、数字キー、（例えば、番組ガイドアプリケーションまたは他の双方向テレビアプリケーションにお気に入りを設定するための）お気に入りキー、（選択に関するさらなる情報の表示をリクエストするための）情報キー等のキー７４を有し得る。矢印キー７６は、目的のオプション上にオンスクリーンカーソルまたは強調表示領域を配置するために用いられ得る。強調表示されたオプションは、ＯＫキー７８を用いて選択され得る。メニューキー８０は、双方向テレビアプリケーション（例えば、番組ガイドアプリケーション、ｎａｖシェルアプリケーション（ｎａｖ　ｓｈｅｌｌ　ａｐｐｌｉｃａｔｉｏｎ）、または任意の他の適切なアプリケーション）に利用可能なオプションのメニューを表示するように指示するために用いられ得る。
【００４８】
ヘルプキー８２は、文脈依存オンスクリーンヘルプ等のヘルプ機能を呼び出すために用いられ得る。
【００４９】
例示的なユーザコンピュータ機器２２を図５に示す。図５の構成では、パーソナルコンピュータ８４が、キーボート８６、またはトラックボール、マウス、タッチパッド、タッチスクリーン、音声認識システム等の他の適切なユーザ入力デバイスを用いるユーザにより制御され得る。テレビ番組および双方向テレビアプリケーションコンテンツが、モニタ８８上に表示され得る。テレビ番組および他の情報が、入力／出力９０を用いて、パス２８および４８（図１）から受信され得る。ユーザはまた、入力／出力ライン９０を介して、遠隔サービスにコマンドおよび他の情報を送信し得る。
【００５０】
パーソナルコンピュータユニット８４は、アナログおよびデジタルテレビチャンネルをデコードするためのテレビチューナカードを備え得る。テレビチューナカードは、所与のアナログチャンネルに合わせるためのアナログチューナ、およびパケット化されたデジタルデータストリームから所望のデジタルテレビチャンネルまたはデジタル音楽チャンネルをフィルタリングするためのデジタルデコード回路を備え得る。
【００５１】
図５のユーザコンピュータ機器の構成は単なる例示である。所望の場合には、任意の適したコンピュータ機器の構成が用いられ得る。
【００５２】
さらに、上述のユーザテレビ機器およびユーザコンピュータ機器の構成も単なる例示である。例示のユーザ機器のより概括的な実施形態を図６に示す。
【００５３】
図６に示すように、制御回路部９２は、入力／出力９４に接続される。入力／出力９４は、図１の経路２６、２７、２８、４２、４６および４８など、通信経路に接続され得る。テレビ番組および音楽番組は、入力／出力９４を介して（例えば、番組ソース１２およびテレビ配信設備１４から）受信され得る。双方向テレビ番組ガイドの番組予定情報もまた、入力／出力９４を介して受信され得る。入力／出力９４はまた、他の双方向テレビアプリケーションの情報を受信するためにも用いられ得る。ユーザは、入力／出力９４を用いて、コマンド、リクエストおよび他の適した情報を送信するために、制御回路部９２を用い得る。
【００５４】
ユーザのテレビ視聴習慣に関する情報、および双方向テレビアプリケーション（例えば、双方向テレビ番組ガイドアプリケーション）とのユーザの双方向通信に関する情報など、ユーザに関するローカルに収集される情報は、入力／出力９４を介して、データ収集設備に送信され得る。任意の適した技術が、ユーザについて収集された情報を伝送するために用いられ得る。例えば、情報は、ケーブルシステムにおけるケーブルリターン経路を用いて、光ファイバーリンクを用いて、ダイアルアップモデム接続（例えば、電話回線、ＤＳＬリンクまたはＩＳＤＮリンク上など）を用いて、無線リンクを用いて（例えば、セルラーまたはページング周波数を用いて）、このような経路の組み合わせなどを用いて、伝送され得る。サーバ（例えば、クライアント・サーバ番組ガイドをサポートするために用いられるサーバ）で収集される情報は、これらまたは任意の他の適した経路などの経路を用いて、サーバからデータ収集設備に伝達され得る。
【００５５】
制御回路部９４は、マイクロプロセッサ、マイクロコントローラなど、任意の適したプロセッサに基づき得る。メモリまたは他の適した格納デバイスは、制御回路部９４の一部として提供され得る。アナログチューナ、ＭＰＥＧ−２デコーダまたは他のデジタルチューニング回路部、あるいは任意の他の適したチューニング回路部、あるいはこのような回路部の組み合わせなどのチューニング回路部もまた、回路部９２の一部として含まれ得る。チューニング回路部は、ユーザ機器を特定のテレビチャンネルまたは音楽チャンネルにチューニングするために用いられ得る。チューニング回路部の状態は、双方向テレビ番組ガイドなどの双方向テレビアプリケーションによってモニタリングされ得るか、あるいはモニタリングアプリケーションまたは、任意の他の適したアプリケーションに内蔵されたモニタリング機能によって、モニタリングされ得る。モニタリングではまた、日時、ユーザ機器のｏｎ・ｏｆｆ状態、種々のボタンの押圧状態、またはユーザ機器の任意の他の機能またはハードウェア状態に関する情報を集めることも行われる。モニタリングされる情報は、制御回路部９２内の格納部（例えば、ハードディスク上またはランダムアクセスメモリ上など）に格納され得る。
【００５６】
テレビ番組ならびに画面上のオプションおよび情報は、ディスプレイ１００上に表示され得る。ディスプレイ１００は、モニタ、テレビ、または視覚イメージを表示する任意の他の適した機器であり得る。スピーカ１０２は、テレビの一部として提供されてもよいし、単独のユニットであってもよい。ディスプレイ１００上に表示されるビデオのデジタル音楽および音声コンポーネントは、スピーカ１０２を介して再生され得る。
【００５７】
ユーザは、ユーザ入力インターフェース９６を用いて、制御回路部を制御し得る。ユーザ入力インターフェースは、マウス、トラックボール、キーパッド、キーボード、タッチスクリーン、タッチパッド、または任意の他の適したユーザ入力インターフェースなど、任意の適したユーザインターフェースであり得る。マイクロフォン９８およびビデオカメラ１０４は、音声および映像情報を制御回路部９２に供給するために用いられ得る。
【００５８】
ユーザ機器１８のユーザ（例えば、ユーザテレビ機器のユーザまたはユーザコンピュータ機器のユーザ、あるいは任意の他の適したユーザ機器デバイスのユーザ）は、メニューボタン８０（図４）を押すことによって、双方向テレビメニューを呼び出し得る。例示的な双方向テレビナビゲーションシェル（ｎａｖｉｇａｔｉｏｎ　ｓｈｅｌｌ）すなわちメニュー１０６を図７に示す。リモコン７２（図４）はオプション１１０、１１２、１１４、１１６、１１８および１２０上に強調表示領域１０８を位置付けるために用いられ得る。ユーザがオプション１１０を選択する場合、番組項目リストの画面が表示され得る。オプション１１２は、ホームショッピングのアプリケーションを呼び出すために用いられ得る。オプション１１４は、ビデオオンデマンドサービスに関連するオプションを表示するために選択され得る。ユーザがオプション１１６を選択する場合、ホームバンキング機能にアクセスする機会がユーザに提示され得る。インターネットのオプション１１８を選択することによって、ウェブブラウザなどが起動され得る。オプション１２０は、設定画面にアクセスするために用いられ得、これにより、ユーザが種々の設定を調整することが可能となる。所望の場合には、ユーザは、番組ガイド設定画面にアクセスするために、このようなメニューのオプションを用い得る。番組ガイド設定画面によって、ユーザは番組ガイド設定を調整し得る。
【００５９】
ユーザに表示され得る例示の番組ガイド画面１２２を図８に示す。例えば、ユーザが図７の番組リスト項目のオプション１０８を選択する場合、またはユーザが双方向テレビ番組ガイドアプリケーション内から適したオプションを選択する場合、番組ガイド画面１２２が表示され得る。番組ガイド画面１２２は、番組リスト項目１２４のグリッドまたはリストを含み得る。番組リスト項目１２４は、番組の題名、チャンネル、予定の放送時間、および任意の他の適した番組予定情報を含み得る。所望の場合には、宣伝が表示され得る。
【００６０】
強調表示領域１２６などの強調表示領域は、所望の番組リスト項目を選択するために用いられ得る。現時刻の番組の番組リスト項目が強調表示されるときにユーザがＯＫのキーを押せば、番組ガイドはその番組のチャンネルにチューニングされ得る。後の時刻の番組の番組リスト項目が強調表示されるときにユーザがＯＫのキーを押せば、番組ガイドはその番組のリマインダを設定する機会をユーザに提供し得る。番組ガイドが提供し得る他の機能には、お気に入りのチャンネルを設定し、そして他の好みおよび設定を確立する機能がある。例えば、ユーザは、番組ガイドの特定のチャンネルを選択して、ユーザ機器に電源がｏｎになったときにそのチャンネルに自動的にチューニングされるようにし得る。ユーザはまた、お気に入りの番組、お気に入りのチャンネルなども選択し得る。番組ガイドは、視聴制限設定を確立する機能、目的の番組を検索する機能、ならびに番組説明、宣伝、テキスト、グラフィクスおよび映像などを視聴する機能をユーザに提供し得る。ユーザがこれらの機能のいずれかを用いることはモニタリングされ得る。さらに、これらは、双方向テレビ番組アプリケーションによって提供され得る番組ガイド機能の単なる例示である。所望の場合には、他の任意の適した番組ガイド機能が提供され得る。リモコン上の専用ガイドボタンを押すことによって、任意の他の適したボタンまたは画面上のオプションを選択することなどによって、番組ガイドは、図７のオプション１１０などのオプションから呼び出され得る。
【００６１】
双方向番組ガイド内の任意の双方向コンテンツに対するユーザの応答が、モニタリングされ得る。例えば、番組ガイドによって示される双方向広告に対するユーザの応答が、モニタリングされ得る。
【００６２】
ユーザをモニタリングすることに含まれる例示的な工程が図９に示される。工程１２８において、番組ガイドまたは他のアプリケーションは、番組ガイドまたは他の双方向テレビアプリケーションとのユーザのインタラクションをモニタリングし得、他のユーザ活動（例えば、どのテレビ番組をユーザが視聴しているかなど）をモニタリングし得る。テレビ番組ガイドまたは他の双方向テレビアプリケーションまたはモニタリングアプリケーションなどは、ユーザの活動に関する情報を収集するために使用され得る。ユーザが視聴しているテレビ番組に関する情報は、ユーザがテレビを視聴しているチャンネルおよび時間に関する情報と、それらの時間にそれらのチャンネルにおいて放送される予定の番組に関する情報とを比較することにより、収集され得る。この比較は、モニタリングの前または最中にローカルに（例えば、ユーザ機器１８において）実施され得るか、またはリモートに（ｒｅｍｏｔｅｌｙ）（例えば、モニタリング後のデータ収集設備においてか、またはモニタリングの最中にサーバまたは他のコンピュータにおいて）実施され得る。これらは、単なる例示である。所望であれば、任意の適切なモニタリング技術が使用され得る。ユーザのテレビ視聴習慣、および双方向番組ガイドとのユーザのインタラクションまたは他の双方向テレビアプリケーションに関して収集される情報は、双方向テレビ番組ガイドもしくは他の双方向テレビアプリケーションを使用して収集され得るか、またはモニタリングアプリケーションもしくは任意の他の適切なアプリケーションを使用して収集され得る。
【００６３】
工程１３０において、番組ガイドまたは他のアプリケーションは、収集されたユーザ情報をデータ収集設備（例えば、図１のデータ収集設備１３のようなデータ収集設備）に自動的に送信し得る。ユーザデータについては、標準郵便局プロトコル（ＰＯＰ）または簡易メール転送プロトコル（ＳＰＭＴ）のような電子メールプロトコルを使用して送信され得る。番組ガイドまたは双方向テレビアプリケーションまたは他のモニタリングアプリケーションなどは、ユーザ機器１８にインストールされている既存電子メールアプリケーションまたは他のアプリケーションなどを通して、これらのような電子メール通信機能にアクセスし得る。従って、電子メール転送構成によって、収集されたユーザデータをデータ収集設備に送信するために所有通信プロトコルを生成する必要はない。
【００６４】
所望であれば、ユーザに関して収集された情報は、ユーザ機器１８にインプリメントされた既存ウェブブラウザの一部分である通信機能を使用して、データ収集設備に報告され得る。例えば、収集された情報は、ウェブブラウザのフォーム機能（ｆｏｒｍｓ　ｃａｐａｂｉｌｉｔｉｅｓ）を使用してデータ収集設備に送信され得る。所望であれば、このような機能は、ユーザ機器のディスプレイ上にフォームを表示せずに、レポートアプリケーション（例えば、番組ガイド）によって直接アクセスされ得る。あるいは、キーストロークまたはクリックストリーム（ｃｌｃｉｋｓｔｒｅａｍ）またはブラウザのフォームのための他の入力は、番組ガイドによって自動的に生成され得、ユーザがそのような機能を使用する必要があれば、ユーザによって提供されるコマンドをエミュレートする。
【００６５】
ユーザ情報がデータ収集設備に送信され得る別の方法は、ユーザ機器１８にインストールされているオペレーティングシステムの既存通信機能を使用するものである。ウェブブラウザまたは独立ファイル転送プロトコル（ＦＴＰ）アプリケーションがユーザ機器１８上に提供される場合、ユーザ情報は、ＦＴＰ技術を用いてデータ収集設備に送信され得る。
【００６６】
工程１３２において、データ収集設備がユーザに関する情報を受信した後、データ収集設備は、ユーザおよび他のユーザに関する情報を分析し得る。この分析は、双方向テレビ番組ガイド内の双方向広告に対して請求する料金、どの種類の広告が表示されるべきか、双方向テレビ番組ガイドとの特定の種類のインタラクションが、テレビ番組内の特定のユーザの関心と相互に関連するかどうか、または他のマーケティングもしくはビジネスの目的を決定するために使用され得る。
【００６７】
所望であれば、ユーザは、ユーザに関する情報がデータ収集設備に送信される前に通知され得る。これは、図１０に示される。工程１３４において、双方向テレビ番組ガイドとのユーザのインタラクションおよび他の活動（例えば、テレビを視聴する活動）がモニタリングされ得る。
【００６８】
工程１３６において、ユーザは、双方向テレビ番組ガイドとのユーザによるインタラクションおよび他のユーザ活動に関する情報を含むレポートの発信を許可する機会を与えられ得る。ユーザがレポートの発信を許可しないと、レポートは、発信されることなく処理され得る。しかし、工程１３６においてユーザがレポートの発信を許可すると、工程１３８においてレポートは、電子メールプロトコル、ブラウザ通信プロトコル、ＦＴＰプロトコルなどを使用して、データ収集設備に提供され得る。
【００６９】
工程１４０において、データ収集設備は、ユーザに関して収集された情報を分析し得る。
【００７０】
ユーザが、ユーザに関して収集された情報の公開を許可する機会を与えられ得る１つの方法が、図１１に示される。図１１の画面１４２において、ユーザは、添付ファイル１４６と共に電子メール１４４を送信した。添付ファイル１４６は、自動的に生成され得、モニタリングされる番組ガイドとのユーザのインタラクションおよび他の活動に関する情報を含むレポートであり得る。電子メールは、番組ガイドまたはユーザをモニタリングするために使用される他のアプリケーション（例えば、ユーザのセットトップボックスにインストールされているアプリケーション）によって生成され得る。電子メール内の返信アドレスは、データ収集設備のアドレスに自動的に設定され得る。従って、ユーザがユーザ機器の画面上の電子メールに返信すると、この返信は、データ収集設備に自動的にルーティングされ得る。ユーザは、データ収集設備の正確な電子メールアドレスを記憶する必要がない。正確なアドレスを返信アドレスフィールドに配置する能力は、標準電子メールアプリケーションによってサポートされ得る。所望であれば、電子メール１４４は、返信することをユーザに求めるテキスト１４８を含み得る。
【００７１】
図１１に示されているような構成を使用して、リポートをデータ収集デバイスに送信する工程は図１２に示される。工程１５０において、プログラムガイドは電子メールを作成する。ユーザーによって収集された情報は、電子メールに組み込まれるか、またはリポートの形式で電子メールに添付され得る。
【００７２】
工程１５２において、電子メールは、ユーザーの機器１８にインストールされた電子メールアプリケーションの電子メール機能にアクセスするプログラムガイドを使用するか、または電子メール機能を実行するプログラムガイドを使用するユーザーに送信され得る。電子メール用の返信電子メールアドレスは、データ収集設備の電子メールアドレスに自動的にセットされ得る。
【００７３】
工程１５２において、ユーザーには、電子メールを返信することが許され得る。例えば、返信ボタンが提供され得る。ユーザーは返信ボタンを選択し、これは電子メールアプリケーションをユーザーの装置、または電子メールを工程１５６のデータ収集設備に送信するプログラムガイドに送信する。ユーザーにデータ収集設備にレポートを伝送する権限を与える機会が提供される図１１および１２のアプローチが使用され得る。例えば、ユーザーは、家計データがモニタリングされること（例えば料金と引き換えに）を許可することについてデータ収集エージェンシーと同意したような状況において、である。
【００７４】
要望があれば、プログラムガイドは図１３において示されているタイプの通知１６０を含有するスクリーン１５８をユーザーに提供し得る。ユーザーがイエスオプション１６２を選択して応答した場合、プログラムガイドは、リポートをデータ収集設備に提出する。ユーザーがノーオプション１６４を選択して応答した場合、プログラムガイドはリポートを提出しない。
【００７５】
要望があれば、プログラムガイドセットアップスクリーンまたはそれに類似のものを使用するデータリポーティング設定を調節する機会がユーザーに提供され得る。例えば、ユーザーが図７のセットアップオプション１２０を選んだ場合、プログラムガイドは、図１４のプログラムガイド設定スクリーン１６６のようなスクリーンを表示し得る。スクリーン１６６は、オーディオ設定オプション１６８およびビデオ設定オプション１７０を包含し得るが、これは、ユーザーがプログラムガイド、ユーザーのセットトップボックスもしくはその他のユーザー機器のオーディオおよびビデオ設定を調節することをユーザーに許可する。言語の設定オプション１７２は、プログラムガイドテキストまたは多重オーディオトラックを有するプログラム用のオーディオトラックが使用されるデフォールト言語を変更するために使用され得る。ユーザーは、プログラムブロッキング（例えばレーティング、キーワードなどに基づく）またはタイトルブロッキング（例えばプログラムガイドにおけるリストテインググリッド）と関連した設定を調節するペアレンタルコントロール設定オプション１７４を選択し得る。
【００７６】
プログラムガイドは、パーソナリゼーション設定１７６のようなオプションも提供し得る。。ユーザーがオプション１７６を選択した場合、プログラムガイドは、図１５のスクリーン１７８のようなスクリーンをユーザーに提供する。スクリーン１７８は、プログラムガイドにおけるユーザーの行為に基づく、データの収集および伝送に関するオプションを含有する。ユーザーは、左右のリモートコントロールキーまたはそれぞれのオプションのそれぞれ異なった入力の間で選択するのに適切なユーザーインターフェース構成を使用し得る（例えば、ユーザーはオンオプショを選択する右側のリモートコントロールアローキー、またはオフオプションを選択する左側のリモートコントロールアローキーを押す）。ユーザーは、上下のリモートコントロールアローキーまたは、それぞれ異なったオプションの間で選択する、他の適切なインターフェースを使用し得る。ハイライト領域は、スクリーン１７８のオプションおよび他のプログラムガイドスクリーンにおけるユーザーの現在位置を示すために使用され得る。
【００７７】
ユーザーは、リポート収集の特質をオンまたはオフにするオプション１８０をトグルし得る。例えば、ユーザーがテレビを見る行為に関する情報またはデータ収集設備にリポートされるユーザーの行為に関する他の情報を望む場合、ユーザーはオプション１８０をオンにする。ユーザーがテレビを見る行為に関する情報、またはデータ収集設備にリポートされるユーザーの行為に関する他の情報を有することを望まない場合、ユーザーはオプション１８０をオフにし得る。
【００７８】
リポート機能がオンにされる場合、リポートがオプション１８２を使用するデータ収集に伝送される場合に用いられる周波数を調節する機会がユーザーに提供され得る。ユーザーは、例えば使用可能な連続的な伝送周波数の間で、あるときは一時間につき、あるときは一日につき、あるときは一週間につきを、選択する。
【００７９】
ユーザーは、リポートの送信前に通知されることを望み得る。ユーザーが通知の受信を望む場合、ユーザーは、プログラムガイドの通知可能性をオンにするオプション１８４を使用し得る。ユーザーが通知の受信を望まない場合、通知をオフにするために１８４が使用される。
【００８０】
ユーザーがスクリーン１７８上で使用可能な選択を終えた場合、ユーザーは終了オプション１８６を（例えばハイライト領域を終了オプション１８６にナビゲート、またはリモートコントロールＯＫキーなどを押すことによって）選択する。
【００８１】
主に、双方向テレビプログラムガイドの文脈で説明されたが、ユーザーのインタラクションは、あらゆる適切な双方向テレビアプリケーションを用いてモニタリングされる。例えばビデオオンデマンドアプリケーションを用いたユーザーのインタラクションはモニタリングされるなどである。さらに、あらゆる適切なアプリケーション（例えばプログラムガイド、双方向テレビアプリケーションまたはスタンドアローンモニタリングアプリケーションは、本発明のモニタリング機能を提供するために使用される）。
【００８２】
前述されたことは、本発明の原理の説明に過ぎないのであって、発明の範囲および精神から逸脱することなく、当業者によってさまざまな修正がなされ得る。
【図面の簡単な説明】
【図１】
本発明による例示的なデータ収集機能を有する双方向テレビジョンシステムの図である。
【図２】
本発明による例示的なユーザテレビジョン設備の図である。
【図３】
本発明によるさらなる例示的なユーザテレビジョン設備の図である。
【図４】
本発明による例示的なリモートコントロールの図である。
【図５】
本発明による例示的なユーザコンピュータ設備の図である。
【図６】
本発明による例示的なユーザ設備の一般化された図である。
【図７】
本発明による例示的なメニュー画面の図である。
【図８】
本発明による例示的な番組ガイド画面の図である。
【図９】
本発明によるユーザ情報の収集およびそのような情報のデータ収集機構への自動報告に関与する例示的な工程のフローチャートである。
【図１０】
本発明によるユーザ情報の収集およびそのような情報のデータ収集機構へのユーザ認定時の報告に関与する例示的な工程のフローチャートである。
【図１１】
本発明によるユーザがデータ収集機構へのユーザ報告の送信を認定することを可能にするようにユーザに提示され得る例示的な電子メールメッセージを示す。
【図１２】
本発明による図１１の電子メールメッセージの提供に関与する例示的な工程のフローチャートである。
【図１３】
本発明によるユーザがユーザ報告を提出するかしないかを決定する事を可能にするインタラクティブプロンプトを含む例示的なプログラムガイド画面を示す。
【図１４】
本発明によって提供され得る例示的な番組ガイド設定画面の図である。
【図１５】
本発明による番組ガイドによって提供され得る例示的な個人化設定画面を示す。
【図１】
2004513533.tif 000003
【図２】
2004513533.tif 000004
【図３】
2004513533.tif 000005
【図４】
2004513533.tif 000006
【図５】
2004513533.tif 000007
【図６】
2004513533.tif 000008
【図７】
2004513533.tif 000009
【図８】
2004513533.tif 000010
【図９】
2004513533.tif 000011
【図１０】
2004513533.tif 000012
【図１１】
2004513533.tif 000013
【図１２】
2004513533.tif 000014
【図１３】
2004513533.tif 000015
【図１４】
2004513533.tif 000016
【図１５】
2004513533.tif 000017
【国際公開パンフレット】
2004513533.tif 000018
2004513533.tif 000019
2004513533.tif 000020
2004513533.tif 000021
2004513533.tif 000022
2004513533.tif 000023
2004513533.tif 000024
2004513533.tif 000025
2004513533.tif 000026
2004513533.tif 000027
2004513533.tif 000028
2004513533.tif 000029
2004513533.tif 000030
2004513533.tif 000031
2004513533.tif 000032
2004513533.tif 000033
2004513533.tif 000034
2004513533.tif 000035
2004513533.tif 000036
2004513533.tif 000037
2004513533.tif 000038
2004513533.tif 000039
2004513533.tif 000040
2004513533.tif 000041
2004513533.tif 000042
2004513533.tif 000043
2004513533.tif 000044
2004513533.tif 000045
2004513533.tif 000046
2004513533.tif 000047
2004513533.tif 000048
2004513533.tif 000049
2004513533.tif 000050
2004513533.tif 000051
2004513533.tif 000052
2004513533.tif 000053
2004513533.tif 000054
2004513533.tif 000055
2004513533.tif 000056
2004513533.tif 000057
2004513533.tif 000058
2004513533.tif 000059
2004513533.tif 000060
2004513533.tif 000061
2004513533.tif 000062
2004513533.tif 000063
2004513533.tif 000064
2004513533.tif 000065
2004513533.tif 000066
2004513533.tif 000067
2004513533.tif 000068
2004513533.tif 000069
2004513533.tif 000070
2004513533.tif 000071
2004513533.tif 000072
2004513533.tif 000073
2004513533.tif 000074
2004513533.tif 000075
2004513533.tif 000076
2004513533.tif 000077
2004513533.tif 000078
2004513533.tif 000079
2004513533.tif 000080
2004513533.tif 000081
2004513533.tif 000082
2004513533.tif 000083
2004513533.tif 000084
2004513533.tif 000085
2004513533.tif 000086
2004513533.tif 000087
2004513533.tif 000088
2004513533.tif 000089
2004513533.tif 000090
2004513533.tif 000091
2004513533.tif 000092
2004513533.tif 000093
2004513533.tif 000094
2004513533.tif 000095
2004513533.tif 000096
2004513533.tif 000097
2004513533.tif 000098
2004513533.tif 000099
2004513533.tif 000100
2004513533.tif 000101
2004513533.tif 000102
2004513533.tif 000103
2004513533.tif 000104
【国際公開パンフレット（コレクトバージョン）】
2004513533.tif 000105
2004513533.tif 000106
【国際調査報告】
2004513533.tif 000107
2004513533.tif 000108
2004513533.tif 000109